(57)【要約】【課題】電子カルテを検索し抽出するのに利便性の高い電子カルテ検索装置を提供する。【解決手段】  入力部１１と、表示部Ｄと、これらを制御する制御部１５と、を備え、制御部１５は、検索条件を設定する検索条件設定手段１５６と、検索条件により検索された電子カルテを検索カルテとして表示させる表示制御手段１５７と、を有する電子カルテ検索装置１であって、検索条件設定手段１５６は、異なる検索項目による検索条件の設定が可能で、表示制御手段１５７は、検索条件に対応する表示態様で表示させた検索カルテを一覧表示させるように、表示部Ｄを制御する。【選択図】図１
2020191053.tif 000002
【特許請求の範囲】
【請求項１】
入力部と、表示部と、前記入力部と前記表示部とを制御する制御部と、を備え、
前記制御部は、
患者を特定する情報、受診日に関する情報及び診療に関する情報を記憶した電子カルテを集めた電子カルテデータベースから、前記入力部からの入力内容に従って電子カルテを検索する検索条件を設定する検索条件設定手段と、
前記検索条件設定手段で設定された検索条件により検索された電子カルテを検索カルテとして表示させるように前記表示部を制御する表示制御手段と、
を有する電子カルテ検索装置であって、
前記検索条件設定手段は、異なる検索項目による検索条件の設定が可能で、
前記表示制御手段は、前記検索条件に対応する表示態様で表示させた前記検索カルテを一覧表示させるように、前記表示部を制御することを特徴とする電子カルテ検索装置。
【請求項２】
請求項１に記載の電子カルテ検索装置において、
前記制御部は、
前記検索条件設定手段が、検索条件を、第１の検索条件又は第２の検索条件として設定し、前記第１の検索条件で検索された検索カルテと同じ検索カルテが前記第２の検索条件によっても検索された場合、
前記表示制御手段は、前記第１の検索条件によって検索された前記検索カルテと、前記第２の検索条件によって検索された前記同じ検索カルテと、をそれぞれの検索条件に対応する表示態様で一覧表示させるように前記表示部を制御することを特徴とする電子カルテ検索装置。
【請求項３】
請求項２に記載の電子カルテ検索装置において、
前記表示制御手段は、
前記第１の検索条件によって検索された前記検索カルテと、前記第２の検索条件によって検索された前記同じ検索カルテと、を列方向に連続して並べて表示させるように前記表示部を制御することを特徴とする電子カルテ検索装置。
【請求項４】
請求項１〜３のいずれかに記載の電子カルテ検索装置において、
前記検索条件設定手段は、病名、マーク、マーカー、ワード／記号及び診療行為の少なくとも１つ以上を検索項目とするように検索条件を設定することを特徴とする電子カルテ検索装置。
【請求項５】
請求項４に記載の電子カルテ検索装置において、
前記検索条件設定手段は、前記病名、前記マーク、前記マーカー、前記ワード／記号及び前記診療行為の少なくとも２つ以上を検索項目とするように検索条件を設定することを特徴とする電子カルテ検索装置。
【請求項６】
請求項１〜５のいずれかに記載の電子カルテ検索装置において、
前記検索条件設定手段は、少なくとも１つの前記検索項目について、当該検索項目に関する検索内容を登録した検索内容の中から選択して検索内容とするように検索条件を設定することを特徴とする電子カルテ検索装置。
【請求項７】
請求項６に記載の電子カルテ検索装置において、
前記検索条件設定手段は、少なくとも１つの前記検索項目について、当該検索項目に関する検索内容の追加登録を許容し、前記追加登録を含め、登録した検索内容の中から選択して検索内容とするように検索条件を設定することを特徴とする電子カルテ検索装置。
【請求項８】
請求項４または５に記載の電子カルテ検索装置において、
前記検索条件設定手段は、前記検索条件の検索項目として病名が選択される場合、初診又は再診を選択した上で病名を検索条件として設定するように検索条件を設定することを特徴とする電子カルテ検索装置。
【請求項９】
請求項４または５に記載の電子カルテ検索装置において、
前記検索条件設定手段が前記検索項目として前記マークを設定した場合、
前記表示制御手段は、前記検索カルテの内容欄にマークのみを表示させるように前記表示部を制御することを特徴とする電子カルテ検索装置。
【請求項１０】
請求項４または５に記載の電子カルテ検索装置において、
前記検索条件設定手段が前記検索項目として前記マーカーを設定した場合、
前記表示制御手段は、前記検索カルテの内容欄に、前記検索カルテの記載部分のうち前記マーカーが付されている記載部分を表示させるように前記表示部を制御することを特徴とする電子カルテ検索装置。
【請求項１１】
請求項４または５に記載の電子カルテ検索装置において、
前記検索条件設定手段が前記検索項目として前記ワード／記号を設定した場合、
前記表示制御手段は、前記検索カルテの内容欄に、前記検索カルテの記載部分のうち前記ワード／記号を明示させるように前記表示部を制御することを特徴とする電子カルテ検索装置。
【請求項１２】
請求項４または５に記載の電子カルテ検索装置において、
前記検索条件設定手段が前記検索項目として診療行為を設定した場合、
前記表示制御手段は、前記検索カルテの内容欄に前記診療行為の内容を表示させるように前記表示部を制御することを特徴とする電子カルテ検索装置。
【請求項１３】
請求項１〜１２に記載の電子カルテ検索装置において、
前記表示制御手段は、
前記検索カルテを列方向に沿って受診日順にかつ受診日毎に分けて一覧表示させるように前記表示部を制御することを特徴とする電子カルテ検索装置。
【請求項１４】
電子カルテデータベースと、
請求項１〜１３のいずれかに記載の電子カルテ検索装置と
を備えた電子カルテシステム。
【請求項１５】
患者を特定する情報、受診日に関する情報及び診療に関する情報を記憶した電子カルテを集めた電子カルテデータベースから、前記電子カルテの検索条件を設定し、前記検索条件により検索された電子カルテを検索カルテとして一覧表示する電子カルテ検索方法であって、
異なる検索項目から検索条件を設定する検索条件設定ステップと、
前記検索条件に対応する表示態様で表示させた前記検索カルテを一覧表示させるステップと、
を含む電子カルテ検索方法。
【発明の詳細な説明】
【技術分野】
【０００１】
本発明は、電子カルテ検索装置、電子カルテ検索方法及び電子カルテシステムに関する。
【背景技術】
【０００２】
従来、「カルテ」（「カルテ」とは、医師（歯科医師を含む）が診療経過を記載した診療録をいう）は、紙に記載した診療録を意味していた。最近、診療録を電子的データに置き換えた「電子カルテ」が徐々に普及してきている。電子カルテは電子的データにより構成されているため、コンピュータを使用した検索ができ、紙カルテより検索が容易であるが、電子カルテを集めた電子カルテデータベース内にある電子カルテデータは膨大であり、医師等が、診療の参考にしたり、症例研究等をおこなうため、電子カルテデータベースを検索して求める（見たい）カルテを抽出（ピックアップ）することは容易でない。
【０００３】
検索の改善を試みた電子カルテシステムとしては、患者ＩＤや病歴データを記憶する病歴データベースと、患者ＩＤを含むカルテデータを記憶するカルテデータベースとを設け、検索条件として入力された病名を含む病歴を病歴データベース内で検索し、見つかった病歴データ毎にカルテデータベースを検索する電子カルテシステムの提案がある（特開２００９−８０７１９号公報）。
【０００４】
このシステムでは、図２２に示されるように、例えば、「インフルエンザ」で「高熱」のカルテを見たいとき、「病名」で「インフルエンザ」を検索してリストを作成した後で、「症状」で「高熱」を検索することにより、「病名」が「インフルエンザ」で、「症状」が「高熱」のカルテ一覧を作成して表示する。図２２に図示されるように、「患者」三洋花子さん（患者ＩＤ等の患者を特定する情報）、病名「インフルエンザ」、症状「高熱が続き、喉が渇く」、受診日（２０１６／１０／１２、２０１６／１０／１６）、その下に、「患者」山田五郎さんについて、病名「インフルエンザ」、症状「高熱、咳が止まらない」のように表示される。
このような電子カルテシステムは、電子カルテの検索が比較的容易な点で優れている。
【先行技術文献】
【特許文献】
【０００５】
【特許文献１】特開２００９−８０７１９号公報
【発明の概要】
【発明が解決しようとする課題】
【０００６】
しかし、診療実績の積み重ねに伴い、電子カルテの数は増大する一方であるが、前述した公報に記載された提案のシステムでは単一の病歴しか検索できないため、電子カルテを検索して抽出する際、必ずしも利便性が高くない。
【０００７】
そこで、本発明は、電子カルテを検索し抽出するのに利便性の高い電子カルテ検索装置を提供することを目的とする。
【課題を解決するための手段】
【０００８】
［１］本発明の電子カルテ検索装置は、入力部と、表示部と、前記入力部と前記表示部とを制御する制御部と、を備え、前記制御部は、患者を特定する情報、受診日に関する情報及び診療に関する情報を記憶した電子カルテを集めた電子カルテデータベースから、前記入力部からの入力内容に従って電子カルテを検索する検索条件を設定する検索条件設定手段と、前記検索条件設定手段で設定された検索条件により検索された電子カルテを検索カルテとして表示させるように前記表示部を制御する表示制御手段と、を有する電子カルテ検索装置であって、前記検索条件設定手段は、異なる検索項目による検索条件の設定が可能で、前記表示制御手段は、前記検索条件に対応する表示態様で表示させた前記検索カルテを一覧表示させるように、前記表示部を制御することを特徴とする。
【０００９】
ここで、「電子カルテ」とは、電子的データで記録された診療録をいう。電子カルテは、原則として、患者が受診した日毎に作成される。例えば、同じ患者が、初診診療を受けた場合と、同じ病気で異なる日に再診診療を受けた場合には、受診日が異なるため、電子カルテは各々作成される。
「患者を特定する情報」とは、患者の氏名、健康保険証番号等の、患者が誰であるかを特定する情報とをいう。
「受診日に関する情報」とは、初診における受診日、再診における受診日等の情報をいう。
「診療に関する情報」とは、病名（傷病名）、主訴の情報（患者が頭痛がすると訴えた情報等）、処置の情報（医師が風邪と診断した情報等）、処置の情報（処方した薬等）等の診療に関係した情報とをいう。
これら「患者を特定する情報」、「受診日に関する情報」及び「診療に関する情報」については図５を用いて後述する。
「検索項目」とは、検索の区分けをいう。
「検索条件」とは、検索する際の前提、制約乃至検索をするために必要な事柄等をいう。
「検索条件設定手段」とは、検索条件を設定する手立てをいう。
「表示制御手段」とは、表示を制御する手立てをいう。
「検索カルテ」とは、検索により検索された（抽出された）電子カルテをいう。
「表示態様」とは、アンダーラインを引く、太文字にする、マーカーを引く等で表示する表示の状態、有様あるいは様子をいう。「表示態様」については、図７（Ｂ）、図９（Ｂ）、図１１（Ｂ）、図１３（Ｂ）、図１５（Ｂ）、図１８等を用いて後述する。
「一覧表示」とは、検索カルテ（群）の全体がわかるようにした簡明な表示をいう。
【００１０】
本発明の電子カルテ検索装置は、検索条件設定手段が、異なる検索項目による検索条件の設定が可能で、表示制御手段は、検索条件に対応する表示態様で表示させた検索カルテを一覧表示させるように、表示部を制御することから、検索条件に対応する表示態様で表示された検索カルテが一覧表示されるようになるため、電子カルテを検索し抽出するのに利便性が高い。
【００１１】
［２］本発明の電子カルテ検索装置においては、前記制御部は、前記検索条件設定手段が、検索条件を、第１の検索条件又は第２の検索条件として設定し、前記第１の検索条件で検索された検索カルテと同じ検索カルテが前記第２の検索条件によっても検索された場合、前記表示制御手段は、前記第１の検索条件によって検索された前記検索カルテと、前記第２の検索条件によって検索された前記同じ検索カルテと、をそれぞれの検索条件に対応する表示態様で一覧表示させるように前記表示部を制御することが好ましい。
【００１２】
このようにすると、第１の検索条件によって検索された検索カルテと、第２の検索条件によって検索された同じ検索カルテと、がそれぞれの検索条件に対応する表示態様で一覧表示されるようになるため、電子カルテを検索し抽出するのに、より一層利便性が高くなる。
【００１３】
［３］本発明の電子カルテ検索装置においては、表示制御手段は、第１の検索条件によって検索された検索カルテと、第２の検索条件によって検索された同じ検索カルテと、を列方向に連続して並べて表示させるように表示部を制御することが好ましい。
【００１４】
このようにすると、第１の検索条件によって検索された検索カルテと、第２の検索条件によって検索された同じ検索カルテと、が列方向に連続して並べて表示されるため、それぞれの検索条件に対応する表示態様で表示した同じ検索カルテが列方向に連続して並べて表示されことから、検索結果が見やすく、電子カルテを検索し抽出するのに、より一層利便性が高くなる。
【００１５】
［４］本発明の電子カルテ検索装置においては、検索条件設定手段は、病名、マーク、マーカー、ワード／記号及び診療行為の少なくとも１つ以上を検索項目とするように検索条件を設定することが好ましい。
【００１６】
ここで、「病名」とは、病気の名をいう。病気には疾患と外傷の両者を含む。
「マーク」とは、人間により作られた、記号・符号・しるし・標章・図案等のことをいう。本願では、主として電子カルテ自体に付与されたマークをいう。
「マーカー」とは、目印、標識等をいう。例えば、電子カルテ中のある語彙に電子的に黄色でした色付けによる目印である。
「ワード／記号」とは、ワード又は記号をいう。ワードとは、言葉及び単語をいう。記号とは、文字やマーク、絵等をいう。電子カルテ中の主訴所見、処置等で記載されているワード又は記号である。
「診療行為」とは、医師が患者に対しておこなった診療の行為で、電子カルテに記載された行為をいう。
【００１７】
このように、検索するのに便利な、病名、マーク、マーカー、ワード／記号及び診療行為の少なくとも１つ以上を検索項目とするように検索条件を設定さすることにより、電子カルテを検索し抽出するのに、より一層利便性が高くなる。
【００１８】
［５］本発明の電子カルテ検索装置においては、前記検索条件設定手段は、前記病名、前記マーク、前記マーカー、前記ワード／記号及び前記診療行為の少なくとも２つ以上を検索項目とするように検索条件を設定することが好ましい。
【００１９】
このように、検索するのに便利な、病名、マーク、マーカー、ワード／記号及び診療行為の少なくとも２つ以上を検索項目とするように検索条件を設定することにより、同時に異なる観点からの検索が可能となるため、電子カルテを検索し抽出するのに、より一層利便性が高くなる。
【００２０】
［６］本発明の電子カルテ検索装置においては、前記検索条件設定手段は、少なくとも１つの前記検索項目について、当該検索項目に関する検索内容を登録した検索内容の中から選択して検索内容とするように検索条件を設定することが好ましい。
【００２１】
このようにすると、検索項目に関する検索内容を登録した検索内容の中から選択して検索内容とするように検索条件を設定することが可能となるため、検索の度に検索内容を新たに作成することが不要となり、電子カルテを検索し抽出するのに、より一層利便性が高くなる。
【００２２】
［７］本発明の電子カルテ検索装置においては、前記検索条件設定手段は、少なくとも１つの前記検索項目について、当該検索項目に関する検索内容の追加登録を許容し、前記追加登録を含め、登録した検索内容の中から選択して検索内容とするように検索条件を設定することが好ましい。
【００２３】
このように、検索項目について、当該検索項目に関する検索内容の追加登録を許容し、追加登録を含め、登録した検索内容の中から選択して検索内容とするように検索条件を設定すると、容易に検索内容の拡張や変更が可能となるため、電子カルテを検索し抽出するのに、より一層利便性が高くなる。
【００２４】
［８］本発明の電子カルテ検索装置においては、前記検索条件設定手段は、前記検索条件の検索項目として病名が選択される場合、初診又は再診を選択した上で病名を検索条件として設定するように検索条件を設定することが好ましい。
【００２５】
ここで、「初診」とは、診療（診察）を受ける医院に初めて来院した場合をいう。前回の診療と同一症状であっても治癒、中止等した後で来院した場合も含まれる。「再診」とは、二度目以降の診療をいう。
【００２６】
このように、検索条件の検索項目として病名が選択される場合、初診又は再診を選択した上で病名を検索条件として設定するように検索条件を設定すると、初診又は再診に絞っての病名による検索カルテの絞り込みが容易で、電子カルテを検索し抽出するのに、より一層利便性が高くなる。
【００２７】
［９］本発明の電子カルテ検索装置においては、前記検索条件設定手段が前記検索項目として前記マークを設定した場合、前記表示制御手段は、前記検索カルテの内容欄にマークのみを表示させるように前記表示部を制御することが好ましい。
【００２８】
ここで、「検索カルテの内容欄」とは、検索の結果抽出された検索カルテの内容を表示する欄である。実施形態１等の実施形態では、後述する図７（Ｂ）、図９（Ｂ）、図１１（Ｂ）、図１３（Ｂ）、図１５（Ｂ）、図１８、図２０に示される一覧表示部１３中に表示される検索カルテの「内容」欄をいう。
【００２９】
このように、検索条件設定手段が検索項目としてマークを設定した場合、表示制御手段が、検索カルテの内容欄にマークのみを表示させるように表示部を制御すると、マークを見ることで、視覚的に素早く検索カルテの検索内容を把握できるため、電子カルテを検索し抽出するのに、より一層利便性が高くなる。
また、マークのみを表示させると、患者等の医師や医療スタッフ以外の者患者にはマークの意味は分からないため、患者に伝えることを控えたい情報を、電子カルテを検索する医師や医療スタッフ等の医療関係者に密かに伝えることが可能となる。
例えば、「現時点では完全な治療方法を見つけるのは困難」「症状が重篤」といった情報を、その意味を説明しないマークで表示すれば、医師等は内容を理解できる一方、検索カルテを偶然患者が見てもその意味がわからず、患者が絶望感を抱く等のトラブルが生じるリスクを低減することが可能となる。
【００３０】
［１０］本発明の電子カルテ検索装置においては、前記検索条件設定手段が前記検索項目として前記マーカーを設定した場合、前記表示制御手段は、前記検索カルテの内容欄に、前記検索カルテの記載部分のうち前記マーカーが付されている記載部分を表示させるように前記表示部を制御することが好ましい。
【００３１】
ここで、「前記検索カルテの記載部分のうち前記マーカーが付されている記載部分を表示させる」とは、マーカーが付された状態そのままで表示することが好ましいが、必ずしも全く同じ状態での表示である必要はない。マーカーの色や太さ等が、マーカーが付けられたのと同様な状態であることが好ましい。マーカーの色や太さが異なっていてもよい。マーカー字体が付されていなくてもよい。色については表示部や色再現ソフト等が異なると完全に同じ色で表示することが困難であることが多いが、同色系統の色であることが好ましい。しかしながら、マーカーが付されていると認識できる態様でよい。
【００３２】
このように、検索項目としてマーカーを設定した場合、検索カルテの内容欄に、検索カルテの記載部分のうちマーカーが付されている記載部分を表示させると、マーカーが付いていることや、マーカーを付けた内容を一目で把握できるため、電子カルテを検索し抽出するのに、より一層利便性が高くなる。
【００３３】
［１１］本発明の電子カルテ検索装置においては、前記検索条件設定手段が前記検索項目として前記ワード／記号を設定した場合、前記表示制御手段は、前記検索カルテの内容欄に、前記検索カルテの記載部分のうち前記ワード／記号を明示させるように前記表示部を制御することが好ましい。
【００３４】
ここで、「明示」とは、明らかに示す趣旨で、例えば、ワード／記号を太くする、斜めにする、ワード／記号を赤青等の文字、記号とする、ワード／記号の箇所を色付きとする、アンダーラインを付ける、反転表示する、ハイライト表示する、等で表示することをいう。
【００３５】
このように、検索項目としてワード／記号を設定した場合、検索カルテの内容欄に、検索カルテの記載部分のうちワード／記号を明示させると、検索したワード／記号が一目でわかるため、電子カルテを検索し抽出するのに、より一層利便性が高くなる。
【００３６】
［１２］本発明の電子カルテ検索装置においては、前記検索条件設定手段が前記検索項目として診療行為を設定した場合、前記表示制御手段は、前記検索カルテの内容欄に前記診療行為の内容を表示させるように前記表示部を制御することが好ましい。
【００３７】
ここで、診療とは、医師や医師の下で医療スタッフがおこなう診察や治療等をいう。診療行為とは、診療をする行為をいう。医療機関ではなく自宅や施設などを訪れて行う診察や治療である往診も含まれる。
「診療行為の内容」とは、「継続観察が必要、念のためレントゲンを撮る」等の診療行為を記録した内容をいう。
【００３８】
このように、検索項目として診療行為を設定した場合、検索カルテの内容欄に診療行為の内容を表示させるようにすると、診療行為が一目でわかるため、電子カルテを検索し抽出するのに、より一層利便性が高くなる。
【００３９】
［１３］本発明の電子カルテ検索装置においては、前記表示制御手段は、前記検索カルテを列方向に沿って受診日順にかつ受診日毎に分けて一覧表示させるように前記表示部を制御することが好ましい。
【００４０】
このようにすると、検索カルテが列方向に沿って受診日順にかつ受診日毎に分けて一覧表示されるようになるため、一覧表示が見やすくなり、電子カルテを検索し抽出するのに、より一層利便性が高くなる。
【００４１】
［１４］本発明の電子カルテシステムは、電子カルテデータベースと、上記の電子カルテ検索装置と、を備えたことを特徴とする。
【００４２】
本発明の電子カルテシステムによれば、電子カルテデータベースと、上記の電子カルテ検索装置と、を備えることから、電子カルテを検索し抽出するのに利便性が高い電子カルテシステムを提供できる。
【００４３】
［１５］本発明の電子カルテ検索方法は、患者を特定する情報、受診日に関する情報及び診療に関する情報を記憶した電子カルテを集めた電子カルテデータベースから、前記電子カルテの検索条件を設定し、前記検索条件により検索された電子カルテを検索カルテとして一覧表示する電子カルテ検索方法であって、異なる検索項目から検索条件を設定する検索条件設定ステップと、前記検索条件に対応する表示態様で表示させた前記検索カルテを一覧表示させるステップと、を含むことを特徴とする。
【００４４】
本発明の電子カルテ検索方法は、異なる検索項目から検索条件を設定する検索条件設定ステップと、前記検索条件に対応する表示態様で表示させた前記検索カルテを一覧表示させるステップと、を含むことから、検索条件に対応する表示態様で表示された検索カルテが一覧表示されるようになるため、電子カルテを検索し抽出するのに利便性が高い。
【図面の簡単な説明】
【００４５】
【図１】実施形態１に係る電子カルテ検索装置１、電子カルテ検索方法及び電子カルテシステム２（以下、「電子カルテ検索装置１、電子カルテ検索方法及び電子カルテシステム２」を「電子カルテ検索装置１等」という）の概要を説明するための図である。
【図２】実施形態１に係る電子カルテ検索装置１等で用いる電子カルテの記録方式例を説明するための図である。
【図３】実施形態１に係る電子カルテ検索装置１等を模式的に説明するための図である。
【図４】実施形態１に係る電子カルテ検索装置１等の検索フローを説明するための図である。
【図５】実施形態１に係る電子カルテ検索装置１等で用いる電子カルテの記録例を説明するための図である。
【図６】実施形態１に係る電子カルテ検索装置１等で用いる検索項目を説明するための図である。
【図７】実施形態１に係る電子カルテ検索装置１等で、検索項目「病名」により検索する場合について説明するための図である。図７（Ａ）は検索条件表示、図７（Ｂ）は一覧表示、図７（Ｃ）は選択された電子カルテの詳細表示を説明するための図である。
【図８】実施形態１に係る電子カルテ検索装置１等で、検索項目「病名」により検索する場合の手順について説明するためのフローチャートである。
【図９】実施形態１に係る電子カルテ検索装置１等で、検索項目「マーク」により検索する場合について説明するための図である。図９（Ａ）は検索条件表示、図９（Ｂ）は一覧表示、図９（Ｃ）は選択された電子カルテの詳細表示を説明するための図である。
【図１０】実施形態１に係る電子カルテ検索装置１等で、検索項目「マーク」により検索する場合の手順について説明するためのフローチャートである。
【図１１】実施形態１に係る電子カルテ検索装置１等で、検索項目「マーカー」により検索する場合について説明するための図である。図１１（Ａ）は検索用表示、図１１（Ｂ）は一覧表示、図１１（Ｃ）は選択された電子カルテの詳細表示を説明するための図である。
【図１２】実施形態１に係る電子カルテ検索装置１等で、検索項目「マーカ―」により検索する場合の手順について説明するためのフローチャートである。
【図１３】実施形態１に係る電子カルテ検索装置１等で、検索項目「ワード／記号」により検索する場合について説明するための図である。図１３（Ａ）は検索用表示、図１３（Ｂ）は一覧表示、図１３（Ｃ）は選択された電子カルテの詳細表示を説明するための図である。
【図１４】実施形態１に係る電子カルテ検索装置１等で、検索項目「ワード／記号」により検索する場合の手順について説明するためのフローチャートである。
【図１５】実施形態１に係る電子カルテ検索装置１等で、検索項目「診療行為」により検索する場合について説明するための図である。図１５（Ａ）は検索条件表示、図１５（Ｂ）は一覧表示、図１５（Ｃ）は選択された電子カルテの詳細表示を説明するための図である。
【図１６】実施形態１に係る電子カルテ検索装置１等で、検索項目「診療行為」により検索する場合の手順について説明するためのフローチャートである。
【図１７】実施形態１に係る電子カルテ検索装置１等で、複数の検索項目により検索する場合について、検索条件表示を説明するための図である。
【図１８】実施形態１に係る電子カルテ検索装置１等で、複数の検索項目により検索した場合の一覧表示について説明するための図である。
【図１９】実施形態１に係る電子カルテ検索装置１等で、複数の検索項目により検索する場合の手順について説明するためのフローチャートである。
【図２０】他の実施形態に係る電子カルテ検索装置１等を説明するための図である。
【図２１】他の実施形態に係る電子カルテ検索装置、電子カルテ検索方法及び電子カルテシステム（以下、「電子カルテ検索装置、電子カルテ検索方法及び電子カルテシステム」を「電子カルテ検索装置等」という）を説明するための図である。
【図２２】従来技術を説明するための図である。
【発明を実施するための形態】
【００４６】
以下、本発明の電子カルテ検索装置、電子カルテ検索方法及び電子カルテシステム（電子カルテ検索装置等）について、図面を用いて実施形態に基づき説明する。なお、各図面は模式図であり、必ずしも実際の構造、構成、外観、電気的接続、システム、表示等を厳密に反映したものではない。
【００４７】
［実施形態１］
［電子カルテ検索装置等の概要］
図１は、実施形態１に係る電子カルテ検索装置１等の概要を説明するための図である。なお、以下、電子カルテ検索装置１を中心に説明するが、この説明は同時に電子カルテ検索方法及び電子カルテシステム２についての説明も兼ねるものである。
【００４８】
図１に示すように、電子カルテシステム２は、主として、電子カルテデータベース１７と、電子カルテ検索装置１と、これらを電気的に結ぶネットワーク１６とを備える。
電子カルテ検索装置１は、入力部１１と、表示部Ｄと、制御部１５と、を備える。表示部Ｄは、検索条件表示部１２と、一覧表示部１３と、電子カルテ表示部１４とを備える。表示部Ｄは液晶の表示部とした。
【００４９】
制御部１５は、内部バス１５４で接続されたＣＰＵ（Ｃｅｎｔｒａｌ  Ｐｒｏｓｅｓｓｉｎｇ  Ｕｎｉｔ、中央制御装置）１５１と、ＲＯＭ（Ｒｅａｄ  Ｏｎｌｙ  Ｍｅｍｏｒｙ、読み出し専用のメモリー）１５２と、ＲＡＭ（Ｒａｎｄｏｍ  Ａｃｃｅｓｓ  Ｍｅｍｏｒｙ、任意に読み書きできるメモリー）１５３とを有する。ＲＯＭ１５２には電子カルテ検索装置１の入力部１１や表示部を制御するためのプログラム（電子カルテ検索装置１を制御するために組まれた一連の命令）が格納されている。制御部１５では、ＣＰＵ１５１がＲＯＭ１５２からプログラムを読み出し、処理データをＲＡＭ１５３で一時的に読み書きする等して電子カルテの検索処理を行う。
【００５０】
制御部１５の内部バス１５４は、インターフェース１５５を介して電子カルテシステム２のネットワーク１６に接続されている。ネットワーク１６は電子カルテデータベース１７と接続されている。電子カルテデータベース１７は電子カルテ情報を格納するメモリーである。ネットワーク１６は、有線又は無線の通信回線でインターネット、イントラネット等を構成する。ネットワーク１６には必要に応じて印刷装置１８が接続される。
【００５１】
制御手部１５は、表示部Ｄ内に点線で示す、電子カルテの検索条件を制御する検索条件設定手段１５６と、表示部の表示を制御する表示制御手段１５７とを有する。ハードウエアと意味合いが異なるため点線で示している。
【００５２】
電子カルテデータベース１７は、電子カルテ記憶装置あるいは電子カルテ記憶メモリーともいう。患者を特定する情報、受診日に関する情報及び診療に関する情報を記憶した電子カルテを集めて記憶しデータベースとしたものである。ハードディスク装置、光ディスク装置、半導体メモリー装置等で構成される。サーバーやクラウドストーリッジであってもよい。
【００５３】
なお、図１（及び図３）では省略して図示しているが、入力部１１、表示部Ｄ（１２、１３、１４）、電子カルテデータベース１７及び印刷装置１８はそれぞれインターフェースを有し、インターフェースを介してネットワーク１６と結ばれている。
【００５４】
［電子カルテの記録方式例］
図２は、実施形態１に係る電子カルテ検索装置１等で用いる電子カルテ１７１の記録方式例を説明するための図である。
電子カルテ１７１の記録方式は、「患者」欄に、患者の氏名、生年月日、男女の別が入力される。
「保険」欄には、加入している保険の種類（全国健康保険協会、組合管掌健康保険、共済組合、船員保険、国民健康保険等の種類）、保険番号等が入力される。
「患者番号」欄には、当診療機関又は当診療機関が属する診療ネットワークで付与する患者の番号が入力される。
「初診／再診」欄には、初診か再診か、いずれであるかが入力される。
「主訴」欄には、患者が医者に申し立てる症状のうちの、主要なものが入力される。
「所見」欄には、医師が見た事柄や、見た結果の判断や意見が入力される。
「傷病名」欄には、疾患や外傷の名称が入力される。「傷病」とは、疾患と外傷を総称した呼称である。
「検査」欄には、患者から採取した血液や尿、便、細胞などを調べる「検体検査」、心電図や脳波など患者を直接調べる「生理機能検査」等の検査内容が入力される。
「処置」欄には、傷病に対し、対策を立て適切な方法をもって事にあたる内容、あるいは傷や病気などの手当て、治療内容を入力する。
「処方」欄には、医師が患者の病状に応じて選定した医薬品名、服用方法及び服用期間等（薬名、用法・用量及び使用期間等）を入力する。
【００５５】
［電子カルテ検索装置等の模式的説明図］
図３は、実施形態１に係る電子カルテ検索装置１等を模式的に説明するための図である。表示部Ｄは、検索条件表示部１２と、一覧表示部１３と、電子カルテ表示部１４と、を有する。入力部１１は、キーボード１１１とマウス１１２を有する。これらはネットワーク１６に接続されている。
【００５６】
［電子カルテ検索装置１等の検索フロー］
図４は、実施形態１に係る電子カルテ検索装置１等の検索フローを説明するための図である。検索フロー（検索処理）は、ＣＰＵ１５１が、ＲＯＭ１５２に格納されたプログラムを読み込み、プログラムに沿って処理する流れを示すフローである。
【００５７】
電子カルテ１７１を検索するには、検索条件表示部１２に検索条件を入力部１１から入力すると、入力部１１の入力に沿って、制御部１５の検索条件設定手段１５６が検索条件を設定する（ステップ：Ｓ１０１）。
ここで、「検索条件設定手段」１５６とは、ＲＯＭ１５２に格納されたプログラムを読み込み、検索条件の制御（検索条件の設定等）をする機能を実行するＣＰＵ１５１（制御部１５）をいう。
検索条件設定手段１５６は、検索条件が、入力部１１からの検索条件入力が一覧表示部１３に「適切に設定（入力）されているか」を判断する（ステップ：Ｓ１０２)。
【００５８】
適切に設定されていない場合（ＮＯの場合）、検索条件設定手段１５６は、表示部に、検索条件の設定が適切でないとの警告を表示させる(ステップ：Ｓ１０３）。そして、ステップＳ１０１に戻る。
適切に設定されている場合（ＹＥＳの場合）、制御部１５（ＣＰＵ１５１）は、検索条件設定手段１５６により設定された検索条件に従って、電子カルテデータベース１７（電子カルテ１７１）を各検索項目について検索する（ステップ：Ｓ１０４）。
【００５９】
制御部１５（ＣＰＵ１５１）は、まず、検索する各検索項目に該当する電子カルテ１７１の一覧表示用データを収集する(ステップ：Ｓ１０５)。
【００６０】
次に、ＣＰＵ１５１（制御部１５）は、検索条件として設定された全ての検索項目について検索を終了したか否かを判断する(ステップ：Ｓ１０６)。
ＣＰＵ１５１（制御部１５）が、検索条件で設定された全ての検索項目について検索が終了していないと（ＮＯの場合）、次の検索対象を残りの検索項目として(ステップ：Ｓ１０７)、ステップ１０４に戻る。
【００６１】
ＣＰＵ１５１（制御部１５）が、検索条件で設定された全ての検索項目について検索が終了した、と判断すると(ＹＥＳの場合)、制御部１５の表示制御手段１５７が、表示部Ｄに、検索でヒットした検索カルテ群を一覧表示部１３で、一覧表示させる（ステップ：Ｓ１０８）。
ここで、「表示制御手段」１５７とは、ＲＯＭ１５２に格納されたプログラムを読み込み、表示部Ｄの表示を制御する機能を実行するＣＰＵ１５１（制御部１５）をいう。
次に、入力部１１からの入力により、一覧表示中から詳細を見たいカルテからが選択される（ステップＳ１０９）と、ＣＰＵ１５１（制御部１５）は、表示部Ｄに、一覧中から選択された検索カルテ（電子カルテ１７１）を電子カルテ表示部１４上で詳細表示させる（ステップＳ１１０）。
別の電子カルテ１７１をみたい場合は、ステップ１０９に戻る。
【００６２】
なお、これらの判断、指示、制御等は、制御部１５（ＣＰＵ１５１）が行う。
【００６３】
［電子カルテの入力例］
図５は、実施形態１に係る電子カルテ検索装置１等で用いる電子カルテ１７１の記録例を説明するための図である。図２の電子カルテ１７１の記録方式の例に沿って説明する。
【００６４】
「患者」欄に、患者の氏名「高橋一」、生年月日「２０００年１月１日」、男女の別「男」が記録されている。
「保険」欄に、健康保険の種類「健保」、保険番号「ＡＰ−３００」が記録されている。
「患者番号」欄には、当診療機関又は当診療機関が属する診療ネットワークで付与する患者番号「３０１６」が記録されている。
「初診／再診」欄には、「初診」であると記録されている。
「主訴」欄には、患者が医者に申し立てる症状のうちの、主要なもの「前日から具合が悪い。今日もまだノドが痛い」が記録されている。
「前日から」にはマーカーが付けられている。マーカーは医師が任意で好きな箇所に付ける。この電子カルテ１７１で注意したい箇所に付ける。キーボード１１１やマウス１１２を使ってマーカーを付ける範囲を指定して、色を選んで付けることができる。
「所見」欄には、医師が見た事柄や、見た結果の判断や意見である、「前日から風邪をひいた。投薬する。継続観察が必要。念のためレントゲンをとる」が記録されている。
「傷病名」欄には、「風邪」と記録されている。
「検査」欄には、「内容  体温測定  レントゲン撮影  結果  ３７．５℃  レントゲン画像」が記録されており、画像が添付されている。
「処置」欄には、「喉にルゴールを塗る。投薬し経過を見る」が記録されている。
「処方」欄には、「ロキソニン錠６０ｍｇ  １日３回／食後  ３日間」が記録されている。
この他に「マーク」欄や、「備考」欄が設けられているが空欄になっている。
「マーク」欄は、特に注意したい事柄についてマークを入力して記録する欄である。
「備考」欄には、自由な事柄を記載（記録）できる。
【００６５】
この例に沿って説明すると、「患者を特定する情報」とは、「患者」欄の患者の氏名、生年月日、男／女別等の患者を特定する情報をいう。「患者を特定する情報」としては、「保険」欄に健康保険の番号がある場合は健康保険番号を含めることができる。医院で独自に患者に番号を付与している場合は、医院が独自に番号を付与した「患者番号」欄の番号を含めることができる。
「受診日に関する情報」とは、「受診日」欄の受診日等の受診日に関連した情報である。
「診療情報」とは、患者の診療に関する情報で、「主訴」欄、「所見」欄、「傷病名」欄、「検査」欄、「処置」欄、「処方」欄の診療に関する情報である。「備考」欄に診療に関する情報が記録される場合は、「備考」欄のこれらの情報も含まれる。
「初診  再診」欄の情報については、「受診に関する情報」又は「診療に関する情報」のいずれか、あるいは双方に含めてよい。
【００６６】
［検索項目］
図６は、実施形態１に係る電子カルテ検索装置１等で用いる検索項目を説明するための図である。
電子カルテ１７１を検索する場合、制御部１５（ＣＰＵ１５１）は、表示部Ｄに、検索条件表示部１２上で検索条件設定画面１２１を表示させる。
検索条件設定画面１２１には、検索要否欄１２２１、検索項目欄１２２２及び検索（・表示）内容欄１２２３を設けて表示させる。
検索項目欄１２２２には検索項目を表示する。
検索（・表示）内容欄１２２３には、最初に各検索項目で検索した場合の検索結果の表示案内を表示させる。案内表示を見て、入力部１１から検索内容を入力する。「検索（・表示）内容」欄１２２３としたのは、検索内容を設定する欄であるが、その設定によって一覧表示中の表示がどのようになるかが、欄中に説明書きされ、それに沿って検索カルテが表示されるからである。「検索（・表示）内容」欄１２２３は、「検索内容」欄１２２３とも称される。
【００６７】
入力部１１からの入力により、検索要否欄１２２１で、検索項目欄１２２２の各検索項目の検索を「する／しない」のいずれかが選択されると、検索条件設定手段１５６はその選択に沿って検索条件を設定する。
入力部１１からの入力により、検索項目欄１２２２に、検索対象の項目が選択されると、検索条件設定手段１５６はその選択に沿って検索条件を設定する。
入力部１１からの入力により、検索（・表示）内容欄１２２３に、検索項目に対応する検索内容が入力されると、検索条件設定手段１５６はその選択に沿って検索条件を設定する。
【００６８】
検索項目「病気」の場合は、入力部１１からの入力により、検索（・表示）内容欄１２２３に具体的な病名が入力され、検索要否欄１２２１の「（検索）する／しない」が「する」で選択されると、検索条件設定手段１５６はその入力に沿って検索条件を設定する。ＣＰＵ１５１（制御部１５）は設定された「病名」の検索条件で、電子カルテデータベース１７内を検索する。表示制御手段１５７は、表示部Ｄに、検索で抽出された検出カルテ（群）を一覧表示させる。
【００６９】
なお、検索条件表示部１２の検索条件設定画面１２１上に「初診／再診／全て」の選択ボタンを設け、「病気」の検索対象を、初診時の電子カルテとする、再診時の電子カルテとする、初診再診に関係なく全ての電子カルテを検索対象とする、の選択ができるようにしてもよい。検索対象が絞れ、検索の利便性に優れる。
このように、検索条件の検索項目として病名が選択される場合、検索条件設定手段１５６が、初診又は再診を選択した上で病名を検索条件として設定するように検索条件を設定すると、初診又は再診に絞っての病名による検索カルテの絞り込みが容易で、電子カルテを検索し抽出するのに、より一層利便性が高くなる。
「マーク」「マーカー」「ワード／記号」「診療行為」の場合も同様である。
検索条件の検索項目として「マーク」「マーカー」「ワード／記号」「診療行為」が選択される場合、検索条件設定手段１５６が、初診又は再診を選択した上でこれらを検索条件として設定するように検索条件を設定すると、初診又は再診に絞っての「マーク」等による検索カルテの絞り込みが容易で、電子カルテを検索し抽出するのに、より一層利便性が高くなる。
【００７０】
検索項目「マーク」の場合は、入力部１１からの入力により、検索（・表示）内容欄１２２３に具体的なマークが入力され、検索要否欄１２２１の「（検索）する／しない」で「する」が選択されると、検索条件設定手段１５６はその入力に沿って検索条件を設定する。ＣＰＵ１５１（制御部１５）は設定されたマークの検索条件で、電子カルテデータベース１７内を検索する。表示制御手段１５７は、表示部Ｄに、検索で抽出された「マーク」の検索条件で、検出カルテ（群）を一覧表示させる。
【００７１】
検索項目「マーカ―」の場合は、入力部１１からの入力により、検索（・表示）内容欄１２２３に具体的なマーカ―を入力され、検索要否欄１２２１の「（検索）する／しない」で「する」が選択されると、検索条件設定手段１５６はその入力に沿って検索条件を設定する。ＣＰＵ１５１（制御部１５）は設定された「マーカー」の検索条件で、電子カルテデータベース１７内を検索する。表示制御手段１５７は、表示部Ｄに、検索で抽出された検出カルテ（群）を一覧表示させる。
検索（・表示）内容欄１２２３に案内表示されているように、表示制御手段１５７は、表示部Ｄに、「電子カルテ１７１中の主訴及び所見欄に（検索対象の）マーカーを引いた箇所を含む内容を（一覧中に）表示（する）(マーカー付きで表示する)」よう表示制御する。
【００７２】
検索項目「ワード／記号」の場合は、入力部１１からの入力により、検索（・表示）内容欄１２２３に具体的なワード／記号を入力され、検索要否欄１２２１の「（検索）する／しない」が「する」で選択されると、検索条件設定手段１５６はその入力に沿って検索条件を設定する。ＣＰＵ１５１（制御部１５）は設定された「ワード／記号」の検索条件で、電子カルテデータベース１７内を検索する。表示制御手段１５７は、表示部Ｄに、検索で抽出された検出カルテ（群）を一覧表示させる。
検索（・表示）内容欄１２２３に案内表示されているように、表示制御手段１５７は、表示部Ｄに、「検索しようとするワード又は記号に一致する内容を電子カルテ１７１から抽出して表示する（下線付き）」よう表示制御する。
【００７３】
検索項目「診療行為」の場合は、入力部１１からの入力により、検索（・表示）内容欄１２２３に具体的な診療行為が入力され、検索要否欄１２２１の「（検索）する／しない」が「する」で選択されると、検索条件設定手段１５６はその入力に沿って検索条件を設定する。ＣＰＵ１５１（制御部１５）は設定された「診療行為」の検索条件で、電子カルテデータベース１７内を検索する。表示制御手段１５７は、表示部Ｄに、検索で抽出された検出カルテ（群）を一覧表示させる。
検索（・表示）内容欄１２２３に案内表示されているように、表示制御手段１５７は、表示部Ｄに、検索行為に（検索行為として）登録されている電子カルテ１７１を（検索して）(一覧)表示」するよう表示制御する。
【００７４】
［検索項目「病名」での検索］
図７は、実施形態１に係る電子カルテ検索装置１等で、検索項目「病名」により検索する場合について説明するための図である。図７（Ａ）は検索条件表示、図７（Ｂ）は一覧表示、図７（Ｃ）は選択された電子カルテの詳細表示を説明するための図である。
【００７５】
電子カルテ検索装置１等で、検索条件設定手段１５６は、検索条件の検索項目として病名を検索条件として設定できる。
更に、検索条件設定手段１５６は、検索条件の検索項目として病名が選択される場合、初診又は再診を選択した上で病名を検索条件として設定してもよい。
【００７６】
ここで、検索条件を設定する場合、図７（Ａ）に示すように、制御部１５（ＣＰＵ１５１）は、表示部Ｄに、検索条件表示部１２上で検索条件設定画面１２１を表示させる。
検索項目欄１２２２で、「検索項目」は「病名」である。入力部１１からの入力により、「検索要否」欄１２２１の「検索要否」の「(検索)する／しない」は「する」に設定する。
【００７７】
検索（・表示）内容欄１２２３には、検索しようとする入力内容あるいは検索した電子カルテを一覧表示する場合の表示内容の案内「初診時の・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。「検索内容」には、「全て」「風邪」「インフルエンザ」・・「（空欄）」がメニュー表示される。マウス１１２の右ボタンをクリックすると、「検索内容」欄で指定したメニューが選択され、「選択」欄に選択印「〇」が出る。
【００７８】
「プルダウンメニュー」とは、メニューの表示方法の一種で、マウス１１２のクリック等の操作によって複数のメニュー項目を表示させるタイプの表示方法である。のことである。「プルダウン」、「プルダウン表示」、「ドロップダウン」等ともいわれる。
プルダウンメニューにより、通常の状態ではメニューの内容を非表示状態にしておくことができるため表示領域を節約できる。マウス１１２のクリック等の操作によって、プルダウンメニューの中の項目を一覧で表示させることができる。その中の項目の選択も可能である。
【００７９】
「検索内容」の「全て」は、病名に関係なく検索対象となる。プルダウンメニュー１２２４で表示されている「風邪」「インフルエンザ」のような病名は登録されている病名である。検索条件設定手段１５６は、少なくとも１つまたは２つの検索項目について、当該検索項目に関する検索内容を登録した検索内容の中から選択して検索内容とするように検索条件を設定することができる。検索条件設定手段１５６は、少なくとも１つの検索項目について、当該検索項目に関する検索内容を登録した検索内容の中から選択して検索内容とするように検索条件を設定することができると、検索の度に検索内容を新たに作成することが不要で、電子カルテを検索し抽出するのに、より一層利便性が高い。ここでは、検索項目の病名について、登録された病名中から選択すると、検索条件を設定する際の労力が軽減され、検索が容易である。入力部１１からの入力により、「風邪」が選択されると、検索条件設定手段１５６はその入力に沿って検索条件を設定する。制御部１５（ＣＰＵ１５１）は、病名が「風邪」となっている電子カルテ１７１を検索する。
【００８０】
検索条件設定手段１５６は、少なくとも１つまたは２つの検索項目について、当該検索項目に関する検索内容の追加登録を許容し、前記追加登録を含め、登録した検索内容の中から選択して検索内容とするように検索条件を設定することができる。検索条件設定手段１５６が、少なくとも１つの検索項目について、当該検索項目に関する検索内容の追加登録を許容し、追加登録を含め、登録した検索内容の中から選択して検索内容とするように検索条件を設定できると、電子カルテを検索し抽出するのに、より一層利便性が高い。
【００８１】
ここでは、「(空欄)」が選択された場合は、検査項目病名について、「病名」を新たに登録できる。例えば、プルダウンメニュー１２２４中に「偏頭痛」がない場合、入力部１１からの入力により、「（空欄）」を選択して「偏頭痛」を入力してキーボード１１１のエンターキーを押して登録する。そして、入力部１１からの入力により、プルダウンメニュー１２２４中で「偏頭痛」が選択されると、検索条件設定手段１５６はその入力に沿って検索条件を設定する。制御部１５（ＣＰＵ１５１）は、「病名」が「偏頭痛」病名が「風邪」となっている電子カルテ１７１を検索する。
【００８２】
図７（Ａ）に示す内容で設定された検索条件で制御部１５（ＣＰＵ１５１）が検索した検索カルテ群について、表示制御手段１５７は、表示部Ｄに、図７（Ｂ）に示すように、一覧表示部１３で一覧表示画面１３１により検索カルテ群の一覧を表示させる。
「検索条件」が、病名「風邪」で検索された検索カルテ群が一覧表示部１３で一覧表示される。１行毎に検索カルテが表示される。列方向に異なる検索カルテが表示される。
・・「検索条件」「内容」に沿って、各検索カルテの内容を行方向に表示した検索カルテ表示行を、各検索カルテ毎に列方向に並べて一覧表示する。表示項目中には、検索条件を表示する検索条件表示項目「検索条件」と、検索条件で検索した検索カルテを項目別に表示する項目別表示項目「受診日」「患者」・・「内容」と、があり、項目別表示項目中の少なくとも１つの項目別表示項目は、検索カルテの内容を各検索条件に対応する表示態様、「内容」欄に「病名）風邪」、で表示する。この「内容」欄が検索カルテの「内容」欄である。
図示するように、「行方向」は横方向で、「列方向」は縦方向である。
【００８３】
ここで、「検索カルテ表示行」とは、検索により抽出された各電子カルテ（検索カルテ）の内容を行方向の複数の表示項目に沿って表示した並びをいう。
「表示項目」とは、表示の区分けをいう。
「行」「列」とは、文字、表示項目、表示内容等の横又は縦の並び乃至並んでいるさまをいう。本願では文字、表示項目、表示内容等の横の並びを「行」、縦の並びを「列」という。「行方向」とは横方向をいい、「列方向」とは縦方向をいう。
【００８４】
検索カルテの１番目には、受診日「２０１８．０２．０１」、患者「高橋一」、診療科「内科」、医師「田中一郎」、検索条件「病名）風邪」、内容「病名）風邪」、が行方向で１行で表示される。
検索カルテの２番目には、受診日「２０１８．０２．０５」、患者「森田恵」、診療科「内科」、医師「田中一郎」、検索条件「病名）風邪」、内容「病名）風邪」、と行方向で１行で表示される。
このように１つの検索カルテが１行で行方向に表示される。複数の検索カルテは列方向に表示される。
【００８５】
この中で詳細を見たい検索カルテを、選択欄を入力部１１で選択すると選択欄に「〇」の選択表示がされる。
【００８６】
図７（Ｂ）の検索カルテ群中で、詳細を見たい検索カルテ（電子カルテ１７１）が入力部１１で選択されると、表示制御手段１５７は表示部に図７（Ｃ）のように電子カルテ１７１の詳細を表示させる。電子カルテ１７１の詳細は電子カルテ表示部１４上で電子カルテ表示画面１４１により表示される。
【００８７】
入力部１１により、一覧表示された検索カルテ群の中の１番目の検索カルテが選択された場合、表示制御手段１５７は、表示部に、選択された検索カルテの詳細を電子カルテ表示部１４上で表示させる。これにより、医師は選択された検索カルテ（電子カルテ１７１）の詳細を見ることができる。選択された検索カルテは、図５に示した電子カルテ１７１が上部から表示されるが、図７（Ｃ）では、選択された検索カルテについて検索条件との対応関係がわかるように、検索対象箇所を中心に図示している。電子カルテ１７１が長い場合には画面をスクロールしたり複数頁にして全体を表示することも可能である。
【００８８】
なお、電子カルテ１７１が長く、画面上に全体を表示できない場合、図７（Ｃ）のように，１３検索条件の、傷病名「風邪」を中心としてその前後を優先的に表示すると、より都合がよい。例えば、「主訴」「所見」「傷病名」「検査」のように、「傷病名」を中心として表示すると、検索してみたい内容を中心とした箇所を優先的に（最初に）見ることができ都合がよい。
【００８９】
図８は、実施形態１に係る電子カルテ検索装置１等で、検索項目「病名」により検索する場合の手順について説明するためのフローチャートである。図７の例を含め説明する。
【００９０】
まず、検索条件設定画面１２１で、入力部１１からの入力で、「検索要否」の「(検索)する／しない」を「する」に設定し、「検索項目」を「病名」とする(ステップＳ２０１)。
【００９１】
次に、検索（・表示）内容欄をプルダウンメニュー１２２４を表示し、登録済の病名中に検索しようとする病名があるか見る(ステップＳ２０２)。例えば、プルダウンした登録済の病名中に「風邪」があるかを見る。
【００９２】
プルダウンメニュー１２２４の登録済の病名中に検索しようとする病名がない場合（「なし」の場合）、プルダウンメニュー１２２４で表示した空欄中に検索しようとする病名（例えば「風邪」）を入力部１１から入力して登録する（ステップＳ２０３）。そして、ステップＳ２０２に戻る。
プルダウンメニュー１２２４で表示した登録済の病名中に検索しようとする病名がある場合（「ある」の場合）、検索条件設定手段１５６はその病名で検索条件を設定し、ＣＰＵ１５１（制御部１５）は設定された検索条件で電子カルテデータベース１７を検索する（ステップＳ２０４）。例えば、「風邪」で検索する。
【００９３】
次に、表示制御手段１５７は、表示部に、検索で抽出された検索カルテ（群）を一覧表示させる（ステップＳ２０５）。検索カルテ（群）は一覧表示部１３に一覧表示される。一覧表示部１３では、検索項目欄１２２２に病名「風邪」、内容欄に「病名）風邪」（風邪の下には、アンダーライン）のように、各検索カルテの内容を行方向に表示する。このような検索カルテ表示行を、各検索カルテ毎に列方向に並べて一覧表示する。
なお、病名が複数ある場合、主病名には主病名であることがわかるように「主」」を表示する。
【００９４】
次に、入力部１１により、一覧表示部１３の一覧表示中から詳細を見たい検索カルテが選択される（ステップＳ２０６）。
【００９５】
表示制御手段１５７は、表示部に、選択された検索カルテの詳細を表示させる。選択された検索カルテ（電子カルテ１７１）は、詳細は電子カルテ表示部１４で表示される（ステップＳ２０７）。
【００９６】
次に、入力部１１の入力により、別の電子カルテ１７１（検索カルテ）の詳細を見る手順に移るかをＣＰＵ１５１が判断する（ステップＳ２０８）。
別の電子カルテ１７１（検索カルテ）の詳細を見る手順に移る場合（ＹＥＳの場合）、ステップＳ２０６に戻る。
別の電子カルテ１７１（検索カルテ）の詳細を見ない場合（ＮＯの場合）、一連の検索は終了する（ステップＳ２０９）。
【００９７】
このように、検索条件設定手段１５６が、検索条件の検索項目として病名を検索条件として設定するように検索条件を設定できると、電子カルテを検索し抽出するのに、より一層利便性が高い。
更に、検索条件設定手段１５６が、検索条件の検索項目として病名が選択される場合、初診又は再診を選択した上で病名を検索条件として設定するように検索条件を設定すると、初診又は再診に絞っての病名による検索カルテの絞り込みが容易で、電子カルテを検索し抽出するのに、より一層利便性が高くなる。
【００９８】
［検索項目「マーク」での検索］
図９は、実施形態１に係る電子カルテ検索装置１等で、検索項目「マーク」により検索する場合について説明するための図である。図９（Ａ）は検索条件表示、図９（Ｂ）は一覧表示、図９（Ｃ）は選択された電子カルテの詳細表示を説明するための図である。
【００９９】
検索条件を設定する場合、図９（Ａ）に示されるように、制御部１５（ＣＰＵ１５１）は、表示部Ｄに、検索条件表示部１２上で検索条件設定画面１２１を表示させる。
検索項目欄１２２２で、「検索項目」は「マーク」である。入力部１１からの入力により、検索要否欄１２２１の「検索要否」の「(検索)する／しない」は「する」に設定する。
【０１００】
検索（・表示）内容欄１２２３には、検索しようとする入力内容あるいは検索した電子カルテ１７１を一覧表示する場合の表示内容の案内「マークのある・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。検索条件設定手段１５６はその入力に沿って検索条件を設定する。制御部１５（ＣＰＵ１５１）は、病名が「風邪」となっている電子カルテ１７１を検索する。
【０１０１】
検索内容欄には、「全て」「（三角の旗のマーク）難病」「（四角の旗のマーク）伝達事項有」・・「（空欄）」がプルダウンメニュー１２２４が表示される。マウス１１２の右ボタンをクリックすると、選択欄で選択印「〇」が出て選択される。「全て」は、マークの種類に関係なく、マークの付いた全ての電子カルテ１７１が検索対象となる。三角の旗のマークは難病であることを意味する。四角の旗のマークは伝達事項があることを意味する。
【０１０２】
このように、検索条件設定手段１５６が検索項目としてマークを設定した場合、表示制御手段１５７が、検索カルテの内容欄にマークを表示させるように表示部Ｄを制御すると、視覚的に素早く検索カルテの検索内容を把握でき電子カルテを検索し抽出するのに、より一層利便性が高くなる。
また、検索条件設定手段１５６が検索項目としてマークを設定した場合、表示制御手段１５７が、検索カルテの内容欄にマークのみを表示させるように表示部Ｄを制御すると、マークを見ることで、視覚的に素早く検索カルテの検索内容を把握できすため、電子カルテを検索し抽出するのに、より一層利便性が高くなる。また、マークのみを表示させると、患者等の医師や医療スタッフ以外の者患者にはマークの意味は分からないため、患者に伝えることを控えたい情報を、電子カルテを検索する医師や医療スタッフ等の医療関係者に密かに伝えることが可能となる。
【０１０３】
例えば、医師が電子カルテ１７１に入力しながら、あるいは電子カルテ１７１を見ながら患者を診察する場合、患者が表示された電子カルテ１７１を見てしまった場合、「難病」と書かれていると患者は希望を失ってしまう場合がある。「余命３か月」「（現代の医療では）治療方法なし」のような場合も同様である。「（四角の旗のマーク）：図面参照」は「伝達事項あり」を意味する。込み入った内容で、電子カルテ１７１に記載するのが難しかったり、簡単な記載では充分に伝えられない場合である。「伝達事項あり」と書かれているのを患者が見ると、誤解を生じる場合もあるが、マークであるとそのようなリスクを低減できる。
なお、医師（更には医療スタッフ等）の便宜のため、マーク表示箇所にマウス１１２を置くと、マークから吹き出しが出てマークの意味を小さな窓１２３０で表示するツールチップを用意しておくと便利である。
【０１０４】
電子カルテ１７１中には医院で決めたルールに沿って特定の電子カルテ１７１にマークが記録されている場合がある。検索対象のマークは登録しておくとよい。マークを登録されたマーク中から選択すると検索が容易である。都度マークを入力して検索する必要がないからである。
【０１０５】
「(空欄)」を選択すると、新たに登録できる。例えば、インフルエンザで重症化した場合は新たなマークを付けることにした場合、電子カルテ１７１に新たなマークを付けて記録しておく。入力部１１からの入力により、プルダウンメニュー１２２４中から「（空欄）」を選択して「（新たなマーク：図示省略）」を入力してキーボード１１１のエンターキーを押して登録する。そして、入力部１１からの入力により、プルダウンメニュー１２２４中で「（新たなマーク：図示省略）」が選択されると、検索条件設定手段１５６はその入力に沿って検索条件を設定する。制御部１５（ＣＰＵ１５１）は、インフルエンザで重症化した場合の電子カルテを検索する。
【０１０６】
図９（Ａ）に示す内容で設定された検索条件で制御部１５（ＣＰＵ１５１）が検索した検索カルテ群について、表示制御手段１５７は、表示部Ｄに、図９（Ｂ）に示すように、一覧表示部１３で一覧表示画面１３１により検索カルテ群の一覧を表示させる。
【０１０７】
「検索条件」をマーク「（四角の旗のマーク）：図面参照」で設定して検索すると、表示制御手段１５７は、当該マークが付けられた検索カルテ群を一覧表示部１３に一覧表示させる。１行毎に検索カルテが表示される。列方向に異なる検索カルテが表示される。
・・「検索条件」「内容」に沿って、各検索カルテの内容を行方向に表示した検索カルテ表示行を、各検索カルテ毎に列方向に並べて一覧表示する。項目別表示項目中の少なくとも１つの項目別表示項目は、検索カルテの内容を各検索条件に対応する表示態様、「内容」欄に「（四角の旗のマーク）：図面参照」、で表示する。
【０１０８】
検索カルテの１番目には、受診日「２０１８．０３．０１」、患者「小林次郎」、診療科「小児科」、医師「宮坂有」、検索条件「マーク」、内容「（四角の旗のマーク）：図面参照」、が行方向に１行で表示される。医師（更には医療スタッフ等）が、マークにマウス１１２を置くと、ツールチップにより、マークから吹き出しが出て、小さな窓１２３０で、四角の旗のマークが「伝達事項有」の意味であることを表示する。
検索カルテの２番目には、受診日「２０１８．０４．０１」、患者「島田正」、診療科「整形外科」、医師「三井望」、検索条件「マーク」、内容「（三角の旗のマーク）」、が行方向に１行で表示される。医師（更には医療スタッフ等）が、マークにマウス１１２を置くと、ツールチップにより、マークから吹き出しが出て、小さな窓１２３０で、三角の旗のマークが「難病」の意味であることを表示する。
内容欄には、マークの他に、主訴所見の先頭から３０〜５０文字程度を表示する。
このように１つの検索カルテが１行で行方向に表示される。複数の検索カルテは列方向に表示される。
【０１０９】
この中で詳細を見たい検索カルテが、入力部１１により、選択欄で選択されると選択欄に「〇」の選択表示がされる。
【０１１０】
図９（Ｂ）の検索カルテ群中で、詳細を見たい検索カルテ（電子カルテ１７１）が入力部１１で選択されると、表示制御手段１５７は表示部に図９（Ｃ）のように電子カルテ１７１の詳細を表示させる。電子カルテ１７１の詳細は電子カルテ表示部１４上で電子カルテ表示画面１４１により表示される。
【０１１１】
入力部１１により、一覧表示された検索カルテ群の中の１番目の検索カルテが選択された場合、表示制御手段１５７は、表示部に、選択された検索カルテの詳細を電子カルテ表示部１４上で表示させる。これにより、医師は選択された検索カルテ（電子カルテ１７１）の詳細を見ることができる。選択された検索カルテは、図５に示した電子カルテ１７１が上部から表示されるが、図９（Ｃ）では、選択された検索カルテについて検索条件との対応関係がわかるように、検索対象箇所を中心に図示している。電子カルテ１７１が長い場合には画面をスクロールしたり複数頁にして全体を表示することも可能である。
【０１１２】
なお、電子カルテ１７１の表示が長く、画面上に全体を表示できない場合、検索条件の、マーク「（四角の旗のマーク）」を中心としてその前後が優先的に表示されるようにすると、より都合がよい。例えば、電子カルテ１７１の末尾に近い箇所に「マーク」欄がある場合、「マーク」欄を含め、その周辺が最初に表示されるようにすると、検索してみたい内容を中心とした箇所を優先的に（最初に）見ることができ、より都合がよい。例えば、マーク欄に「（四角の旗のマーク）」が表示され、ツールチップにより小さな窓１２３０で「伝達事項有」の意味であることが表示され、その下の備考欄（備考欄には「主治医変更の場合、留意事項を伝える」と入力されている）も表示されるようにすると、より都合がよい。
【０１１３】
図１０は、実施形態１に係る電子カルテ検索装置１等で、検索項目「マーク」により検索する場合の手順について説明するためのフローチャートである。図９の例を含め説明する。
【０１１４】
まず、検索条件設定画面１２１で、入力部１１からの入力で、「検索要否」の「(検索)する／しない」を「する」に設定し、「検索項目」を「マーク」とする(ステップＳ３０１)。
【０１１５】
次に、検索（・表示）内容欄１２２３をプルダウンメニュー１２２４を表示し、登録済のマーク中に検索しようとするマークがあるか見る(ステップＳ３０２)。例えば、プルダウンメニュー表示した登録済の病名中に「（四角の旗のマーク：図面参照）」があるかを見る。
プルダウンメニュー表示した登録済のマーク中に検索しようとするマークがない場合（「なし」の場合）、プルダウンメニュー表示した空欄中に検索しようとするマークを入力部１１から入力して登録する（ステップＳ３０３）。そして、ステップＳ３０２に戻る。
プルダウメニュー表示した登録済の病名中に検索しようとするマークがある場合（「ある」の場合）、検索条件設定手段１５６はそのマークで検索条件を設定し、ＣＰＵ１５１（制御部１５）は設定された検索条件で電子カルテデータベース１７を検索する（ステップＳ２０４）。例えば、「（四角の旗のマーク：図面参照）」を検索条件として検索する。
【０１１６】
次に、表示制御手段１５７は、表示部に、検索で抽出された検索カルテ（群）を一覧表示させる（ステップＳ３０５）。検索カルテ（群）は一覧表示部１３に一覧表示される。一覧表示部１３では、検索項目欄１２２２に「マーク」、内容欄に「（四角の旗のマーク：図面参照）」のように、各検索カルテの内容を行方向に表示する。このような検索カルテ表示行を、各検索カルテ毎に列方向に並べて一覧表示する。
【０１１７】
次に、入力部１１により、一覧表示部１３の一覧表示中から詳細を見たい検索カルテが選択される（ステップＳ３０６）。
表示制御手段１５７は、表示部に、選択された検索カルテの詳細を表示させる。選択された検索カルテ（電子カルテ１７１）は、詳細は電子カルテ表示部１４で表示される（ステップＳ３０７）。
【０１１８】
次に、入力部１１の入力により、別の電子カルテ１７１（検索カルテ）の詳細を見る手順に移るかをＣＰＵ１５１が判断する（ステップＳ３０８）。
別の電子カルテ１７１（検索カルテ）の詳細を見る手順に移る場合（ＹＥＳの場合）、ステップＳ３０６に戻る。
別の電子カルテ１７１（検索カルテ）の詳細を見ない場合（ＮＯの場合）、一連の検索は終了する（ステップＳ３０９）。
【０１１９】
［検索項目「マーカー」での検索］
図１１は、実施形態１に係る電子カルテ検索装置１等で、検索項目「マーカー」により検索する場合について説明するための図である。図１１（Ａ）は検索用表示、図１１（Ｂ）は一覧表示、図１１（Ｃ）は選択された電子カルテ１７１の詳細表示を説明するための図である。
【０１２０】
電子カルテ検索装置１等で、検索条件設定手段１５６が検索項目としてマーカーを設定した場合、表示制御手段１５７は、検索カルテの内容欄に、検索カルテの記載部分のうち前記マーカーが付されている記載部分を表示させるように表示部Ｄを制御することができる。
【０１２１】
ここで、検索条件を設定する場合、図１１（Ａ）に示されるように、制御部１５（ＣＰＵ１５１）は、表示部Ｄに、検索条件表示部１２上で検索条件設定画面１２１を表示させる。
検索項目欄１２２２で、「検索項目」は「マーカ―」である。入力部１１からの入力により、検索要否欄１２２１の「検索要否」の「(検索)する／しない」は「する」に設定する。
【０１２２】
検索（・表示）内容欄１２２３には、検索しようとする入力内容あるいは検索した電子カルテ１７１を一覧表示する場合の表示内容の案内「電子カルテ中の・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。「検索内容」には、「全て」「１ケ月前から」「数日前から」「前日から」・・「（空欄）」がメニュー表示される。マウス１１２の右ボタンをクリックすると、「検索内容」欄で指定したメニューが選択され、「選択」欄に選択印「〇」が出る。
【０１２３】
「全て」は、マーカ―の内容に関係なく、マーカ―の付いた全ての電子カルテ１７１が検索による抽出対象となる。
プルダウンメニュー１２２４が表示されている「１ケ月前から」「数日前から」「前日から」・・は、この箇所にマーカーが引かれ登録されているマーカーである。このように登録された病名中から選択すると、検索条件を設定する際の労力が軽減され、検索が容易である。入力部１１からの入力により、「前日から」が選択されると、検索条件設定手段１５６はその入力に沿って検索条件を設定する。制御部１５（ＣＰＵ１５１）は、「前日から」にマーカーが引かれている電子カルテ１７１を検索する。例えば、主訴又は所見欄に「前日から具合が悪い」と記載され、「前日から」にマーカーが引かれている電子カルテ１７１があると検索により抽出される。
【０１２４】
新たな表現箇所にマーカーを引いて、その電子カルテ１７１を検索したい場合、入力部１１からの入力により、プルダウンメニュー１２２４の表示中から「（空欄）」を選択して、新たに「（新たなマーカ―表示）」を入力してキーボード１１１のエンターキーを押して登録する。
そして、入力部１１からの入力により、プルダウンメニュー１２２４中で登録済の「（新たなマーカ―表示）」が選択されると、検索条件設定手段１５６はその入力に沿って検索条件を設定する。制御部１５（ＣＰＵ１５１）は、「（新たなマーカ―表示）」（登録済）の電子カルテ１７１を検索する。
【０１２５】
図１１（Ａ）に示す内容で設定された検索条件で制御部１５（ＣＰＵ１５１）が検索した検索カルテ群について、表示制御手段１５７は、表示部Ｄに、図１１（Ｂ）に示すように、一覧表示部１３で一覧表示画面１３１により検索カルテ群の一覧を表示させる。
【０１２６】
「検索条件」を、マーカ―「前日から」で検索すると、表示制御手段１５７は、表示部Ｄに、当該マーカ―が付けられた検索カルテ群を一覧表示部１３で一覧表示させる。１行毎に検索カルテが表示される。列方向に異なる検索カルテが表示される。
【０１２７】
・・「検索条件」「内容」に沿って、各検索カルテの内容を行方向に表示した検索カルテ表示行を、各検索カルテ毎に列方向に並べて一覧表示する。項目別表示項目中の少なくとも１つの項目別表示項目は、検索カルテの内容を各検索条件に対応する表示態様で表示する。例えば、「内容」欄に「主訴）前日から具合が悪い」（「前日から」にはマーカーが引かれた状態）、で表示する。
マーカーの色は、原則として電子カルテ１７１に引かれた色を使用する。
【０１２８】
検索カルテの１番目には、受診日「２０１８．０２．０１」、患者「高橋一」、診療科「内科」、医師「田中一郎」、検索条件「マーカー」、内容「主訴）前日から具合が悪い」（「前日から」にはマーカーが引かれた状態）、が行方向で１行で表示される。
検索カルテの２番目には、受診日「２０１８．０２．０５」、患者「森田恵」、診療科「内科」、医師「田中一郎」、検索条件「マーカー」、内容「主訴）前日から具合が悪い」（「前日から」にはマーカーが引かれた状態）、が行方向で１行で表示される。
このように１つの検索カルテが１行で行方向に表示される。複数の検索カルテは列方向に表示される。
【０１２９】
この中で詳細を見たい検索カルテが、入力部１１により、選択欄で選択されると選択欄に「〇」の選択表示がされる。
【０１３０】
図１１（Ｂ）の検索カルテ群中で、詳細を見たい検索カルテ（電子カルテ１７１）が入力部１１で選択されると、表示制御手段１５７は表示部に図１１（Ｃ）のように電子カルテ１７１の詳細を表示させる。電子カルテ１７１の詳細は電子カルテ表示部１４上で電子カルテ表示画面１４１により表示される。
【０１３１】
入力部１１により、一覧表示された検索カルテ群の中の１番目の検索カルテが選択された場合、表示制御手段１５７は、表示部に、選択された検索カルテの詳細を電子カルテ表示部１４上で表示させる。これにより、医師は選択された検索カルテ（電子カルテ１７１）の詳細を見ることができる。選択された検索カルテは、図５に示した電子カルテ１７１が上部から表示されるが、図１１（Ｃ）では、選択された検索カルテについて検索条件との対応関係がわかるように、検索対象箇所を中心に図示している。電子カルテ１７１が長い場合には画面をスクロールしたり複数頁にして全体を表示することも可能である。
【０１３２】
なお、電子カルテ１７１の表示が長く、画面上に全体を表示できない場合、検索条件の、マーカ―「前日から」を中心としてその前後が優先的に表示されるようにすると、より都合がよい。例えば、電子カルテ１７１の先頭に近い箇所に、マーカー検索対象の「主訴」欄や「所見」欄がある場合、「主訴」欄や「所見」欄を中心とする表示がされる。最初の画面は、受診日「２０１８．０２．０１」、初診再診「初診」、主訴「前日から具合が悪い。今日もまだノドが痛い」、所見「前日に風邪をひいた。投薬する。継続観察が必要。念のためレントゲンを撮る」（「前日から」にはマーカーが引かれている）、傷病名「風邪」、のように、マーカーで検索した箇所を中心に表示されるようにすると都合がよい。
【０１３３】
［検索項目「マーカー」での検索］
図１２は、実施形態１に係る電子カルテ検索装置１等で、検索項目「マーカ―」により検索する場合の手順について説明するためのフローチャートである。
【０１３４】
まず、検索条件設定画面１２１で、入力部１１からの入力で、「検索要否」の「(検索)する／しない」を「する」に設定し、「検索項目」を「マーク」とする(ステップＳ４０１)。
【０１３５】
次に、検索（・表示）内容欄をプルダウンメニュー１２２４で表示し、登録済のマーカ―中に検索しようとするマーカ―があるか見る(判断する、ステップＳ４０２)。例えば、ＣＰＵ１５１（制御部１５）は、電子カルの主訴欄又は所見欄中に「前日から」があり、更に「前日から」にマーカーが引かれているかみる（判断する）。あるいは、電子カルテ１７１にマーカーが引かれているか見て、更に「前日から」にマーカーが引かれているかをみる（判断する）。
プルダウンメニュー１２２４で表示した登録済のマーク中に検索しようとするマーカ―がない場合（「なし」の場合）、プルダウンメニュー１２２４の空欄中に検索しようとする内容のマーカ―「前日から」を入力して登録する（ステップＳ４０３）。そして、ステップＳ４０２に戻る。
【０１３６】
プルダウンメニュー１２２４の登録済の病名中に検索しようとするマーカーがある場合（「ある」の場合）、検索条件設定手段１５６はそのマーカーで検索条件を設定し、ＣＰＵ１５１（制御部１５）は設定された検索条件で電子カルテデータベース１７を検索する（ステップＳ４０４）。
例えば、ＣＰＵ１５１（制御部１５）は設定された検索条件の「前日から」にマーカーが付いている電子カルテ１７１を検索する。
【０１３７】
次に、表示制御手段１５７は、表示部に、検索で抽出された検索カルテ（群）を一覧表示させる（ステップＳ４０５）。検索カルテ（群）は一覧表示部１３に一覧表示される。・・検索項目欄１２２２に「マーカ―」、内容欄に「主訴）前日から具合が悪い」（「前日から」にはマーカーが付いている）のように、マーカー付きで表示する。
このような検索カルテ表示行を、各検索カルテ毎に列方向に並べて一覧表示する。
【０１３８】
次に、入力部１１により、一覧表示部１３の一覧表示中から詳細を見たい検索カルテが選択される（ステップＳ４０６）。
【０１３９】
表示制御手段１５７は、表示部に、選択された検索カルテの詳細を表示させる。選択された検索カルテ（電子カルテ１７１）は、詳細は電子カルテ表示部１４で表示される（ステップＳ４０７）。
【０１４０】
次に、入力部１１の入力により、別の電子カルテ１７１（検索カルテ）の詳細を見る手順に移るかをＣＰＵ１５１が判断する（ステップＳ４０８）。
別の電子カルテ１７１（検索カルテ）の詳細を見る手順に移る場合（ＹＥＳの場合）、ステップＳ４０６に戻る。
【０１４１】
別の電子カルテ１７１（検索カルテ）の詳細を見ない場合（ＮＯの場合）、一連の検索は終了する（ステップＳ４０９）。
【０１４２】
このように、検索条件設定手段１５６が検索項目としてマーカーを設定した場合、表示制御手段１５７が、検索カルテの内容欄に、検索カルテの記載部分のうちマーカーが付されている記載部分を表示させるように表示部Ｄを制御すると、マーカーが付いていることや、マーカーを付けた内容を一目で把握できるため、電子カルテを検索し抽出するのに、より一層利便性が高くなる。
【０１４３】
［検索項目「ワード／記号」での検索］
図１３は、実施形態１に係る電子カルテ検索装置１等で、検索項目「ワード／記号」により検索する場合について説明するための図である。図１３（Ａ）は検索用表示、図１３（Ｂ）は一覧表示、図１３（Ｃ）は選択された電子カルテ１７１の詳細表示を説明するための図である。
【０１４４】
電子カルテ検索装置１等で、検索条件設定手段１５６が検索項目としてワード／記号を設定した場合、表示制御手段１５７は、検索カルテの内容欄に、検索カルテの記載部分のうちワード／記号を明示させるように表示部Ｄを制御する。
「明示」とは、明らかに示す趣旨で、例えば、ワード／記号を太くする、斜めにする、ワード／記号を赤青等の文字、記号とする、ワード／記号の箇所を色付きとする、アンダーラインを付ける、反転表示とする等で表示することをいう。
【０１４５】
ここで、検索条件を設定する場合、図１３（Ａ）に示すように、制御部１５（ＣＰＵ１５１）は、表示部Ｄに、検索条件表示部１２上で検索条件設定画面１２１を表示させる。
検索項目欄１２２２で、「検索項目」は「ワード／記号」である。入力部１１からの入力により、検索要否欄１２２１の「検索要否」の「(検索)する／しない」は「する」に設定する。なお、「ワード／記号」とは、ワード乃至記号の意味である。
【０１４６】
検索（・表示）内容欄１２２３には、検索しようとする入力内容あるいは検索した電子カルテ１７１を一覧表示する場合の表示内容の案内「検索しようとする・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。「検索内容」欄には、「ロキ」「ロキソニン」・・「（空欄）」がプルダウンメニュー１２２４で表示される。マウス１１２の右ボタンをクリックすると、「検索内容」欄で指定したメニューが選択され、「選択」欄に選択印「〇」が出る。
【０１４７】
検索しようとするワード／記号が登録されていない場合、新たに登録できる。例えば、「ロキソニン錠」の記載のあるカルテを検索したいが、登録されているワード／記号中で「ロキソニン錠」を検索できるワード／記号がない場合、入力部１１からの入力により、プルダウンメニュー１２２４中から「（空欄）」を選択して、キーボード１１１から新たに「ロキ」（又は「ロキソニン」又は「ロキソニン錠」）を入力して、キーボード１１１のエンターキーを押して登録する。そして、入力部１１からの入力により、プルダウンメニュー１２２４中で「ロキ」が選択されると、検索条件設定手段１５６はその入力に沿って検索条件を設定する。制御部１５（ＣＰＵ１５１）は、「ロキ」のワード／記号が記録されている電子カルテ１７１を検索する。
【０１４８】
図１３（Ａ）に示す内容で設定された検索条件で制御部１５（ＣＰＵ１５１）が検索した検索カルテ群について、表示制御手段１５７は、表示部Ｄに、図１３（Ｂ）に示すように、一覧表示部１３で一覧表示画面１３１により検索カルテ群の一覧を表示させる。
「検索条件」を、ワード／記号「ロキ」で検索すると、「ロキ」のワード／記号のある検索カルテ群が一覧表示される。１行毎に検索カルテが表示される。列方向に異なる検索カルテが表示される。
・・「検索条件」「内容」に沿って、各検索カルテの内容を行方向に表示した検索カルテ表示行を、各検索カルテ毎に列方向に並べて一覧表示する。項目別表示項目中の少なくとも１つの項目別表示項目は、検索カルテの内容を各検索条件に対応する表示態様で表示する。例えば、「内容」欄の「ロキソニン錠  ６０ｍｇ・・」の「ロキ」は太文字で表示する。
【０１４９】
なお、主訴所見欄に検索対象のワード／記号がある場合、原則として検索対象のワード／記号を含むセンテンスの句点又は改行までを表示する。検索対象のワード／記号は太字にする（アンダーラインを引いたり、文字の色を変更してもよい）。語彙や記号のまとまりで、句読点のない場合もセンテンスと同様にする。センテンス抽出時に、検索対象のワード／記号の前は最大文字数を決めておく。例えば、最大１０〜３０文字とする。内容欄は、最大４０〜６０程度の文字数とする。表示しきれない場合には、スクロールバーを表示する。
【０１５０】
検索カルテの１番目には、受診日「２０１８．０２．０１」、患者「高橋一」、診療科「内科」、医師「田中一郎」、検索条件「ワード／記号」、内容「ロキソニン錠  ６０ｍｇ  風邪で・・」（「ロキ」部分は太文字）、が行方向で１行で表示される。
検索カルテの２番目には、受診日「２０１８．０２．１８」、患者「角田三」、診療科「整形外科」、医師「三井望」、検索条件「ワード／記号」、内容「ロキソニン錠  ６０ｍｇ  腰痛・・」（「ロキ」部分は太文字）、が行方向で１行で表示される。
検索カルテの３番目には、受診日「２０１８．０３．０１」、患者「小林次郎三」、診療科「小児科」、医師「宮坂有」、検索条件「ワード／記号」、内容「ロキソニン錠  ６０ｍｇ  インフルエンザ・・」（「ロキ」部分は太文字）、が行方向で１行で表示される。
このように１つの検索カルテが１行で行方向に表示される。複数の検索カルテは列方向に表示される。
【０１５１】
この中で詳細を見たい検索カルテが、入力部１１により、選択欄で選択されると選択欄に「〇」の選択表示がされる。
【０１５２】
図１３（Ｂ）の検索カルテ群中で、詳細を見たい検索カルテ（電子カルテ１７１）が入力部１１で選択されると、表示制御手段１５７は表示部に図１３（Ｃ）のように電子カルテ１７１の詳細を表示させる。電子カルテ１７１の詳細は電子カルテ表示部１４上で電子カルテ表示画面１４１により表示される。
【０１５３】
一覧表示された検索カルテ群の中の１番目の検索カルテが選択された場合、選択されたカルテが表示される。医師は選択されたカルテの詳細を見ることができる。選択されたカルテは図５に示した電子カルテ１７１であるが、図１３（Ｃ）では、選択されたカルテについて検索との対応関係がわかるように、検索対象箇所を中心に図示している。カルテが長い場合には画面をスクロールしたり複数頁にして全体を表示するも可能である。
【０１５４】
なお、電子カルテ１７１の表示が長く、画面上に全体を表示できない場合、図１３（Ｃ）のように，検索条件の、ワード／記号「ロキ」を中心としてその前後が優先的に表示されるようにすると、より都合がよい。例えば、電子カルテ１７１の中央箇所に「ロキ」を含むワード／記号がある場合、「ロキ」を含むワード／記号を含む箇所とその周辺が最初に表示されるようにする。「処方」欄の「ロキソニン錠  ６０ｍｇ  １日３錠／食後  ３日間」が表示画面の中央部に表示され、その前の「処置」欄の「喉にルゴールを塗る  投薬し経過を見る」や、「処方」欄の下の「マーク」欄や「備考」欄も併せて表示されるようにすると．より都合がよい。
【０１５５】
図１４は、実施形態１に係る電子カルテ検索装置１等で、検索項目「ワード／記号」により検索する場合の手順について説明するためのフローチャートである。図１３の例を含め説明する。
【０１５６】
まず、検索条件設定画面１２１で、「検索要否」の「(検索)する／しない」を「する」に設定し、「検索項目」を「ワード／記号」とする(ステップＳ５０１)。
【０１５７】
次に、検索（・表示）内容欄１２２３をプルダウンメニュー１２２４で表示し、登録済のワード／記号中に検索しようとするワード／記号があるか見る(ステップＳ５０２)。例えば、電子カルの主訴欄又は所見欄中に「ロキ」があるか見る。
プルダウンメニュー１２２４で表示した登録済のワード／記号中に検索しようとするワード／記号「ロキ」がない場合（「なし」の場合）、プルダウンメニュー１２２４の空欄中に検索しようとする内容のワード／記号「ロキ」を入力して登録する（ステップＳ５０３）。そして、ステップＳ５０２に戻る。
プルダウンメニュー１２２４の登録済の病名中に検索しようとするワード／記号がある場合（「ある」の場合）、検索条件設定手段１５６はその病名で検索条件を設定し、ＣＰＵ１５１（制御部１５）は設定された検索条件で電子カルテデータベース１７を検索する（ステップＳ５０４）。例えば、ワード／記号「ロキ」のある電子カルテ１７１を検索する。
【０１５８】
次に、表示制御手段１５７は、表示部に、検索で抽出された検索カルテ（群）を一覧表示させる（ステップＳ２０５）。検索カルテ（群）は一覧表示部１３に一覧表示される。一覧表示部１３では、検索項目欄１２２２に「ワード／記号」、内容欄に「ロキ」として、「ロキ」を太文字にして表示する。
このような検索カルテ表示行を、各検索カルテ毎に列方向に並べて一覧表示する。
【０１５９】
次に、入力部１１により、一覧表示部１３の一覧表示中から詳細を見たい検索カルテが選択される（ステップＳ５０６）。
【０１６０】
表示制御手段１５７は、表示部に、選択された検索カルテの詳細を表示させる。選択された検索カルテ（電子カルテ１７１）は、詳細は電子カルテ表示部１４で表示される（ステップＳ５０７）。
【０１６１】
次に、別の電子カルテ１７１（検索カルテ）を見るか判断する（ステップＳ５０８）。
別の電子カルテ１７１（検索カルテ）を見る場合（ＹＥＳの場合）、ステップＳ５０６に戻る。
別の電子カルテ１７１（検索カルテ）を見ない場合（ＮＯの場合）、終了する（ステップＳ５０９）。
【０１６２】
このように、検索条件設定手段１５６が検索項目としてワード／記号を設定した場合、表示制御手段１５７が、検索カルテの内容欄に、検索カルテの記載部分のうちワード／記号を明示させるように表示部Ｄを制御すると、検索したワード／記号が一目でわかり、電子カルテを検索し抽出するのに、より一層利便性が高くなる。
【０１６３】
［検索項目「診療行為」での検索］
図１５は、実施形態１に係る電子カルテ検索装置１等で、検索項目「診療行為」により検索する場合について説明するための図である。図１５（Ａ）は検索条件表示、図１５（Ｂ）は一覧表示、図１５（Ｃ）は選択された電子カルテの詳細表示を説明するための図である。
【０１６４】
電子カルテ検索装置１等で、検索条件設定手段１５６が検索項目として診療行為を設定した場合、表示制御手段１５７は、検索カルテの内容欄に診療行為の内容を表示させるように表示部Ｄを制御する。「診療行為の内容」とは、「継続観察が必要」「来院のたびに〇〇の検査をする」等の診療行為を記録した内容をいう。
【０１６５】
ここで、検索条件を設定する場合、図１５（Ａ）に示されるように、制御部１５（ＣＰＵ１５１）は、表示部Ｄに、検索条件表示部１２上で検索条件設定画面１２１を表示させる。
【０１６６】
検索項目欄１２２２で、「検索項目」は「診療行為」である。入力部１１からの入力により、検索要否欄１２２１の「検索要否」の「(検索)する／しない」は「する」に設定する。
【０１６７】
検索（・表示）内容欄１２２３には、検索しようとする入力内容あるいは検索した電子カルテ１７１を一覧表示する場合の表示内容の案内「診療行為に・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。「検索内容」には、「継続観察が必要」「来院のたびに〇〇の検査をする」・・「（空欄）」がメニュー表示される。マウス１１２の右ボタンをクリックすると、「検索内容」欄で指定したメニューが選択され、「選択」欄に選択印「〇」が出る。
【０１６８】
検索しようとするワード／記号が登録されていない場合、新たに登録すればよい。例えば、診療行為「解熱剤を処方する」のあるカルテを検索したいが、プルダウンメニュー１２２４中に表示されている登録済の診療行為中で「解熱剤を処方する」がない場合、入力部１１からの入力により、プルダウンメニュー１２２４から「（空欄）」を選択して、新たに「解熱剤を処方する」を入力してキーボード１１１のエンターキーを押して登録する。そして、入力部１１からの入力により、プルダウンメニュー１２２４中で「解熱剤を処方する」が選択されると、検索条件設定手段１５６はその入力に沿って検索条件を設定する。制御部１５（ＣＰＵ１５１）は、「解熱剤を処方する」のワード／記号のある電子カルテ１７１を検索する。
【０１６９】
図１５（Ａ）に示す内容で設定された検索条件で制御部１５（ＣＰＵ１５１）が検索した検索カルテ群について、表示制御手段１５７は、表示部Ｄに、図１５（Ｂ）に示すように、一覧表示部１３で一覧表示画面１３１により検索カルテ群の一覧を表示させる。
【０１７０】
「検索条件」を、診療行為「解熱剤を処方する」で検索すると、診療行為「解熱剤を処方する」のある検索カルテ群が一覧表示部１３一覧表示される。１行毎に検索カルテが表示される。列方向に異なる検索カルテが表示される。
【０１７１】
・・「検索条件」「内容」に沿って、各検索カルテの内容を行方向に表示した検索カルテ表示行を、各検索カルテ毎に列方向に並べて一覧表示する。項目別表示項目中の少なくとも１つの項目別表示項目は、検索カルテの内容を各検索条件に対応する表示態様で表示する。
例えば、「内容」欄の「解熱剤を処方する」の「  」内の文字や記号は他の文字や記号と異なる色で表示する（「  」内は赤文字として他の箇所は黒文字とするように色を変える）。
【０１７２】
検索カルテの１番目には、受診日「２０１８．０２．０１」、患者「高橋一」、診療科「内科」、医師「田中一郎」、検索条件「診療行為」、内容「継続観察が必要。念のためレントゲン・・」（「継続観察が必要」の文字は赤文字で、「念のためレントゲン・・」は黒太文字）、が行方向で１行で表示される。
検索カルテの２番目には、受診日「２０１８．０３．０１」、患者「小林次郎」、診療科「小児科」、医師「宮坂有」、検索条件「診療行為」、内容「継続観察が必要。インフルエンザ・・」（「継続観察が必要」は赤文字。「インフルエンザ・・」は黒文字）、が行方向で１行で表示される。
このように１つの検索カルテが１行で行方向に表示される。複数の検索カルテは列方向に表示される。
【０１７３】
この中で詳細を見たい検索カルテが、入力部１１により、選択欄で選択されると選択欄に「〇」の選択表示がされる。
【０１７４】
図１５（Ｂ）の検索カルテ群中で、詳細を見たい検索カルテ（電子カルテ１７１）が入力部１１で選択されると、表示制御手段１５７は表示部に図１５（Ｃ）のように電子カルテ１７１の詳細を表示させる。電子カルテ１７１の詳細は電子カルテ表示部１４上で電子カルテ表示画面１４１により表示される。
【０１７５】
入力部１１により、一覧表示された検索カルテ群の中の１番目の検索カルテが選択された場合、表示制御手段１５７は、表示部に、選択された検索カルテの詳細を電子カルテ表示部１４上で表示させる。これにより、医師は選択された検索カルテ（電子カルテ１７１）の詳細を見ることができる。選択された検索カルテは、図５に示した電子カルテ１７１が上部から表示されるが、図１５（Ｃ）では、選択された検索カルテについて検索条件との対応関係がわかるように、検索対象箇所を中心に図示している。電子カルテ１７１が長い場合には画面をスクロールしたり複数頁にして全体を表示することも可能である。
【０１７６】
なお、電子カルテ１７１の表示が長く、画面上に全体を表示できない場合、図１５（Ｃ）のように、検索条件の、診療行為「継続観察が必要」を中心としてその前後が優先的に表示されるようにすると、より都合がよい。例えば、電子カルテ１７１の上部箇所に診療行為「継続観察が必要」がある場合、その箇所とその周辺が最初に表示される。この例では、「所見」欄の「前日に風邪をひいた。投薬する。継続観察が必要。念のためレントゲンをとる」（「継続観察が必要」は赤文字。「前日に・・投薬する」「念のためレントゲンをとる」は黒文字）が表示画面の中央部に表示され、その前の「主訴」欄の「前日から具合が悪い。今日もまだノドが痛い」（「前日から」にはマーカーが引かれている）や、「所見」欄の下の「傷病名」欄「風邪」も併せて表示されるようにするすると、より良い都合がよい。
【０１７７】
図１６は、実施形態１に係る電子カルテ検索装置１等で、検索項目「診療行為」により検索する場合の手順について説明するためのフローチャートである。図１５の例を含め説明する。
【０１７８】
まず、検索条件設定画面１２１で、入力部１１からの入力で、「検索要否」の「(検索)する／しない」を「する」に設定し、「検索項目」を「診療行為」とする(ステップＳ６０１)。
【０１７９】
次に、検索（・表示）内容欄１２２３をプルダウンメニュー１２２４で表示し、登録済の診療行為中に検索しようとする診療行為があるか見る(ステップＳ６０２)。例えば、「継続観察が必要」があるか見る。
プルダウンメニュー１２２４で表示した登録済の診療行為中に検索しようとする診療行為「継続観察が必要」がない場合（「なし」の場合）、プルダウンメニュー１２２４で表示した空欄中に検索しようとする内容の診療行為「継続観察が必要」を入力部１１から入力して登録する（ステップＳ６０３）。そして、ステップＳ６０２に戻る。
プルダウンメニュー１２２４で表示した登録済の診療行為中に検索しようとする診療行為がある場合（「ある」の場合）、検索条件設定手段１５６はその診療行為で検索条件を設定し、ＣＰＵ１５１（制御部１５）は設定された検索条件で電子カルテデータベース１７を検索する（ステップＳ２０４）。例えば、診療行為「継続観察が必要」のある電子カルテ１７１を検索する。
【０１８０】
次に、表示制御手段１５７は、表示部に、検索で抽出された検索カルテ（群）を一覧表示させる（ステップＳ６０５）。検索カルテ（群）は一覧表示部１３に一覧表示される。一覧表示部１３では、検索項目欄１２２２に「診療行為」、内容欄に「継続観察が必要」として、「継続観察が必要」を赤文字（他は黒文字）にして表示する。各検索カルテの内容を行方向に表示する。このような検索カルテ表示行を、各検索カルテ毎に列方向に並べて一覧表示する。
【０１８１】
次に、入力部１１により、一覧表示部１３の一覧表示中から詳細を見たい検索カルテが選択される（ステップＳ６０６）。
【０１８２】
表示制御手段１５７は、表示部に、選択された検索カルテの詳細を表示させる。選択された検索カルテ（電子カルテ１７１）は、詳細は電子カルテ表示部１４で表示される（ステップＳ６０７）。
【０１８３】
次に、別の電子カルテ１７１（検索カルテ）を見るか判断する（ステップＳ６０８）。
別の電子カルテ１７１（検索カルテ）を見る場合（ＹＥＳの場合）、ステップＳ６０６に戻る。
別の電子カルテ１７１（検索カルテ）を見ない場合（ＮＯの場合）、終了する（ステップＳ６０９）。
【０１８４】
このように、検索条件設定手段１５６が検索項目として診療行為を設定した場合、表示制御手段１５７が、検索カルテの内容欄に診療行為の内容を表示させるように表示部Ｄを制御すると、診療行為が一目でわかるため、電子カルテを検索し抽出するのに、より一層利便性が高くなる。
【０１８５】
［複数の検索項目での検索］
図１７は、実施形態１に係る電子カルテ検索装置１等で、複数の検索項目により検索する場合について、検索条件表示を説明するための図である。
【０１８６】
検索条件を設定する場合、図１７に示すように、制御部１５（ＣＰＵ１５１）は、表示部Ｄに、検索条件表示部１２上で検索条件設定画面１２１を表示させる。
【０１８７】
検索項目欄１２２２で、「検索項目」は「病名」「マーク」「マーカー」「ワード／記号」「診療行為」の５つである。入力部１１からの入力により、検索要否欄１２２１の「検索要否」の「(検索)する／しない」は、「病名」は「（検索）する」、「マーク」は「（検索）しない」、「マーカーは「（検索）する」、「ワード／記号は「（検索）する」、「診療行為」は「（検索）しない」に設定した。
「検索要否」１２２１と、「選択」１２２４とは、どちらを先に入力／選択してもよい。一度入力／選択した内容を後で変更することもできる。
【０１８８】
「（検索）する」とした「検索内容」について内容の条件設定をする。
各検索項目の、検索（・表示）内容欄１２２３には、検索しようとする入力内容あるいは検索した電子カルテ１７１を一覧表示する場合の表示内容の案内「初診時の・・」が表示されているが、ここにマウス１１２を置いてマウス１１２の左ボタンをクリックすると、プルダウンメニュー１２２４が出る。プルダウンメニュー１２２４では、「選択」と「検索内容」とが表示される。マウス１１２の右ボタンをクリックすると、「検索内容」欄で指定したメニューが選択され、「選択」欄に選択印「〇」が出る。
検索項目「病名」ではプルダウンメニュー１２２４で表示された検索内容「全て」「風邪」「インフルエンザ」・・中、「風邪」を選択した。
検索項目「マーカー」ではプルダウンメニュー１２２４で表示された検索内容「全て」「１ケ月前から」「数日前から」「前日から」・・中、「前日から」を選択した。
検索項目「ワード／記号」ではプルダウンメニュー１２２４で表示された検索内容「ロキ」「ロキソニン」・・中、「ロキ」を選択した。
【０１８９】
図１８は、実施形態１に係る電子カルテ検索装置１等で、複数の検索項目により検索した場合の一覧表示について説明するための図である。
図１７に示す内容で設定された検索条件で制御部１５（ＣＰＵ１５１）が検索した検索カルテ群について、表示制御手段１５７は、表示部Ｄに、図１８に示すように、一覧表示部１３で一覧表示画面１３１により検索カルテ群の一覧を表示させる。
【０１９０】
一覧表示部１３では「検索条件」で検出された検索カルテ群が一覧表示されている。１行毎に検索カルテが表示される。列方向に異なる検索カルテが表示される。
・・「検索条件」「内容」に沿って、各検索カルテの内容を行方向に表示した検索カルテ表示行を、各検索カルテ毎に列方向に並べて一覧表示する。項目別表示項目中の少なくとも１つの項目別表示項目は、検索カルテの内容を各検索条件に対応する表示態様で表示する。
【０１９１】
検索カルテの１番目には、受診日「２０１８．０２．０１」、患者「高橋一」、診療科「内科」、医師「田中一郎」、検索条件の検索項目「病名」、検索内容「風邪」、内容（検索結果）「病名）風邪」（「風邪」にはアンダーライン）、が行方向に１行で表示されている。
検索カルテの２番目には、１番目の検索カルテと同じ検索カルテが、受診日「２０１８．０２．０１」、患者「高橋一」、診療科「内科」、医師「田中一郎」、検索条件の検索項目「マーカー」、検索内容「前日から」、内容（検索結果）「主訴）前日から具合が悪い・・」（「前日から」にはマーカー付き）、が行方向に１行で表示される。
検索カルテの３番目には、１番目及び２番目の検索カルテと同じ検索カルテが、受診日「２０１８．０２．０１」、患者「高橋一」、診療科「内科」、医師「田中一郎」、検索条件の検索項目「ワード／記号」、検索内容「ロキ」、内容（検索結果）「処方）ロキソニン錠  ６０ｍｇ・・」（「ロキ」は太字）、が行方向に１行で表示されている。
検索カルテの４番目には、１〜３番目の検索カルテと異なる検索カルテが、受診日「２０１８．０２．０５」、患者「森田恵」、診療科「内科」、医師「田中一郎」、検索条件の検索項目「病名」、検索内容「風邪」、内容（検索結果）「病名）風邪、偏頭痛」（「風邪」にはアンダーライン）、として行方向に１行で表示されている。
検索カルテの５番目には、１〜４番目の検索カルテと異なる検索カルテが、受診日「２０１８．０２．０５」、患者「角田二」、診療科「整形外科」、医師「田中一郎」、検索条件の検索項目「ワード／記号」、検索内容「ロキ」、内容（検索結果）「処方）ロキソニン錠  ６０ｍｇ・・」（「ロキ」は太字）、として行方向に１行で表示されている。
検索カルテの６番目には、１〜５番目の検索カルテと異なる検索カルテが、受診日「２０１８．０３．０１」、患者「小林次郎」、診療科「小児科」、医師「宮田有」、検索条件の検索項目「マーカー」、検索内容「前日から」、内容（検索結果）「所見）前日からの発熱が下がった」（「前日から」にはマーカー付き）、として行方向に１行で表示されている。
検索カルテの７番目には、６番目の検索カルテと同じ検索カルテが、受診日「２０１８．０３．０１」、患者「小林次郎」、診療科「小児科」、医師「宮田有」、検索条件の検索項目「ワード／記号」、検索内容「ロキ」、内容（検索結果）「処方）ロキソニン錠・・」（「ロキ」は太字）、として行方向に１行で表示されている。
【０１９２】
受診日の境の枠線は太くなっている（３番目と４番目との境、４番目と５番目との境、５番目と６番目との境の枠線）。
異なる受診日で分けることで、一覧中の表示態様は異なるが同じカルテが並んでいても、それらが同じカルテであることを判別しやすくできる。
【０１９３】
図１７の一覧表示中で詳細を見たい検索カルテが、入力部１１により、選択欄で選択されると選択欄に「〇」の選択表示がされる。
図１７の検索カルテ群中で、詳細を見たい検索カルテ（電子カルテ１７１）が入力部１１で選択されると、表示制御手段１５７は表示部に電子カルテ１７１の詳細を表示させる。電子カルテ１７１の詳細は電子カルテ表示部１４上で電子カルテ表示画面１４１により表示される。
例えば、一覧表示された検索カルテ群の中の１番目と６番目の検索カルテを選択すると、それらを１つずつ電子カルテ表示部１４上で詳細表示してみることができる。これらの表示については既に説明したので説明を省略する。
【０１９４】
図１９は、実施形態１に係る電子カルテ検索装置１等で、複数の検索項目により検索する場合の手順について説明するためのフローチャートである。図１７及び図１８の検索を例にして説明する。
【０１９５】
まず、検索条件設定画面１２１で、入力部１１からの入力で、５つの「検索項目」について「検索要否」の「(検索)する／しない」を設定する（ステップＳ７０１）。なお、デフォルトでは「しない」に設定されているため、検索する項目だけ「する」に変更すればよい。
【０１９６】
次に５つの「検索項目」について「（検索）する」に設定されているものがあるか判断する（ステップＳ７０２）。
【０１９７】
次に５つの「検索項目」の全てについて「（検索）する」に設定されているものがない場合には検索はしない（ＮＯ）ので検索は終了する。
【０１９８】
次に５つの「検索項目」のいずれか１つでも「（検索）する」に設定されているものがある場合、検索（・表示）内容欄をプルダウンメニュー１２２４を表示して登録されている検索内容中に検索しようとしている検索（対象）内容があるか判断する（ステップＳ７０３）。
検索内容がない場合（「なし」の場合）、検索しようとする内容を登録する（ステップＳ７０４）。そしてステップＳ７０３に戻る。
検索内容がある場合（「ある」の場合）、検索条件設定手段１５６はその病名で検索条件を設定し、ＣＰＵ１５１（制御部１５）は設定された検索条件で電子カルテデータベース１７を検索する（ステップＳ７０５）。
そして、ＣＰＵ１５１（制御部１５）は検索で抽出（ヒット）した検索カルテから一覧表示用データを収集する（ステップＳ７０６）。
【０１９９】
次に、「（検索）する」としているが検索していない検索項目があるか判断する（ステップＳ７０７）。
「（検索）する」としているが検索していない検索項目がある場合（未検索項目が「ある」の場合）、まだ検索していない検索項目を設定する（ステップＳ７０７）。そして、ステップＳ７０３に戻る。
「（検索）する」としている検索項目の全てについて検索してある場合（未検索項目が「ない」の場合）、表示制御手段１５７は、表示部に、「（検索）する」と設定した全ての検索項目の検索結果をまとめて検索で抽出された検索カルテ（群）を一覧表示させる（ステップＳ７０９）。検索カルテ（群）は一覧表示部１３に一覧表示される。検索カルテ表示行を、各検索カルテ毎に列方向に並べて一覧表示する。
【０２００】
次に、入力部１１により、一覧表示部１３の一覧表示中から詳細を見たい検索カルテが選択される（ステップＳ７１０）。
【０２０１】
表示制御手段１５７は、表示部に、選択された検索カルテの詳細を表示させる。選択された検索カルテ（電子カルテ１７１）は、詳細は電子カルテ表示部１４で表示される（ステップＳ７１１）。
【０２０２】
次に、別の電子カルテ１７１（検索カルテ）を見るか判断する（ステップＳ７１２）。
別の電子カルテ１７１（検索カルテ）を見る場合（ＹＥＳの場合）、ステップＳ７１０に戻る。
別の電子カルテ１７１（検索カルテ）を見ない場合（ＮＯの場合）、終了する（ステップＳ７１３）。
【０２０３】
このように、検索条件設定手段１５６が、異なる検索項目による検索条件の設定を可能とし、表示制御手段１５７が、検索条件に対応する表示態様で表示させた検索カルテを一覧表示させるように表示部Ｄを制御すると、電子カルテを検索し抽出するのに利便性が高い。
【０２０４】
また、制御部１５で、検索条件設定手段１５６が、検索条件を、第１の検索条件又は第２の検索条件として設定し、第１の検索条件で検索された検索カルテと同じ検索カルテが第２の検索条件によっても検索された場合、表示制御手段１５７が、第１の検索条件によって検索された検索カルテと、第２の検索条件によって検索された同じ検索カルテと、をそれぞれの検索条件に対応する表示態様で一覧表示させるように表示部Ｄを制御すると、電子カルテを検索し抽出するのに、より一層利便性が高くなる。
【０２０５】
また、表示制御手段１５７が、第１の検索条件によって検索された検索カルテと、第２の検索条件によって検索された同じ検索カルテと、を列方向に連続して並べて表示させるように表示部Ｄを制御すると、同じ検索カルテがそれぞれの検索条件に対応する表示態様で並べて表示されるため、検索結果が見やすく、電子カルテを検索し抽出するのに、より一層利便性が高くなる。
【０２０６】
また、検索条件設定手段１５６が、検索するのに便利な、病名、マーク、マーカー、ワード／記号及び診療行為の少なくとも１つ以上を検索項目とするように検索条件を設定することにより、電子カルテを検索し抽出するのに、より一層利便性が高くなる。
【０２０７】
また、検索条件設定手段１５６が、検索するのに便利な、病名、マーク、マーカー、ワード／記号及び診療行為の少なくとも２つ以上を検索項目とするように検索条件を設定することにより、同時に異なる観点からの検索ができるため、電子カルテを検索し抽出するのに、より一層利便性が高くなる。
【０２０８】
また、検索条件設定手段１５６が、少なくとも１つの検索項目について、当該検索項目に関する検索内容を登録した検索内容の中から選択して検索内容とするように検索条件を設定すると、検索の度に検索内容を新たに作成することが不要であり、電子カルテを検索し抽出するのに、より一層利便性が高くなる。
【０２０９】
また、表示制御手段１５７が、検索カルテを列方向に沿って受診日順にかつ受診日毎に分けて一覧表示させるように表示部を制御すると、一覧表示が見やすいため、電子カルテを検索し抽出するのに、より一層利便性が高くなる。
【０２１０】
また、異なる検索項目から検索条件を設定する検索条件設定ステップと、前記検索条件に対応する表示態様で表示させた前記検索カルテを一覧表示させるステップと、を含む電子カルテ検索方法とすると、電子カルテを検索し抽出するのに利便性が高い。
【０２１１】
また、異なる検索項目から検索内容を設定する検索条件設定ステップと、各カルテの内容を、行方向に並べた複数の表示項目に沿って表示した検索カルテ表示行を、列方向に並べて一覧表示するとともに、検索カルテ行は、複数の表示項目中の少なくとも１つの表示項目で、検索カルテの内容を各検索条件に対応する表示態様で表示させると、複数の異なる条件で検索して、その検索結果をより的確に同時に一覧表示することにより、電子カルテを検索する際の利便性が、より一層高くなる。
【０２１２】
［実施形態２］
実施形態２に係る電子カルテ検索装置等（図示せず）は、基本的には実施形態１に係る電子カルテ検索装置１等と同様の構成を有するが、検索条件表示部１２及び一覧表示部１３の構成が実施形態１に係る電子カルテ検索装置１等とは異なる。すなわち、実施形態２に係る電子カルテ検索装置等においては、検索条件表示部１２及び一覧表示部１３をそれぞれ別個の表示装置で構成するのではなくて、１つの表示装置で構成している。
【０２１３】
このようにすると、検索条件設定表示と一覧表示とが１つの表示部Ｄで表示され、電子カルテの詳細表示は別の表示部で見ることが可能となるため、検索しやすく、また検索した電子カルテが見やすい。
【０２１４】
なお、実施形態２に係る電子カルテ検索装置等は、図１〜図１９に示す実施形態１に係る電子カルテ検索装置１等と同じ符号は同じ意味を有する。実施形態１に係る電子カルテ検索装置１等が有する効果のうち、実施形態２に係る電子カルテ検索装置１等に該当する効果については同様の効果を有する。
以下の実施形態も同様であり、実施形態１と同様の効果を有することや、同様の効果を奏する旨の記載は省略する。
【０２１５】
［実施形態３］
図２０は、他の実施形態に係る電子カルテ検索装置等を説明するための図である。
実施形態３に係る電子カルテ検索装置等は、基本的には図１〜１９に示す実施形態１に係る電子カルテ検索装置１等と同様であるが、実施形態３に係る電子カルテ検索装置等は、実施形態１に係る電子カルテ検索装置１等で、図２０に示すように、検索条件表示部１２と、一覧表示部１３と、電子カルテ表示部１４と、を１つの表示部Ｄとした点で、実施形態１に係る電子カルテ検索装置１等と異なる。
【０２１６】
図２０に示すように、表示部Ｄの約半分（右半分）を検索条件表示部１２と、検索結果を一覧表示する一覧表示部１３との兼用の表示領域とし、残りの約半分（左半分）を電子カルテ表示部１４の表示領域とした。図２０では、右半分の表示領域で、一覧表示部１３の表示画面が手前にあり、検索条件表示部１２の表示画面の大半が後ろ側になっている。検索条件表示部１２と一覧表示部１３の表示画面の手前側と後ろ側の切り替えする場合は、後ろ側の一部見えている表示画面上（あるいは上部に見えているタブ）にマウス１１２を置いてクリックすることで手前側と後ろ側の画面を切り替えできる。
このようにすると、表示部Ｄ全体を小型化できる。
【０２１７】
［実施形態４］
実施形態４は、複数の電子カルテ検索装置１と、電子カルテデータベース（メモリー）１７と、を備えた電子カルテシステム２とする電子カルテシステムの実施形態である。
実施形態４に係る電子カルテシステムは、基本的には図１〜１９に示す実施形態１に係る電子カルテシステム２と同様であるが、実施形態４に係る電子カルテシステムは、実施形態１に係る電子カルテシステム２で、電子カルテ検索装置１を複数とし、複数の電子カルテ検索装置１がネットワーク１６に接続する点で、実施形態１に係る電子カルテシステム２と異なる。
このようにすると、複数の電子カルテ検索装置１で検索できるため、電子カルテを検索し抽出するのに、より一層利便性が高い。
【０２１８】
［実施形態５］
図２１は、他の実施形態に係る電子カルテ検索装置等を説明するための図である。
実施形態５の電子カルテ検索装置等（図２１参照）は、基本的には図１〜１９に示す実施形態１に係る電子カルテ検索装置１等と同様であるが、実施形態５に係る電子カルテ検索装置等は、実施形態１に係る電子カルテ検索装置１等で、図１３、図１７等で図示した「ワード／記号」の検索条件表示画面を図２１（説明は後述する）のようにした点で、実施形態１に係る電子カルテ検索装置１等と異なる。
【０２１９】
実施形態５の電子カルテ検索装置等では、検索条件を設定する場合、制御部１５（ＣＰＵ１５１）は、表示部Ｄに、検索条件表示部１２上で、図２１に示す検索条件設定画面１２１を表示させる。
【０２２０】
検索条件表示部１２の検索条件設定画面１２１には、検索項目設定欄１２４１等が設けられ、検索する項目が何であるか、及びその検索項目について検索条件をどのように設定する等を表示して設定できるようにされている。
検索項目設定欄１２４１は、検索項目を設定する欄である。この例では、検索項目設定欄１２４１には、「抽出ワード／記号設定」の表示がされており、検索項目が「抽出ワード／記号」であること、及びこの画面がその検索内容を設定する画面であることを示している。
検索項目設定欄１２４１の下には、当該検索項目に関する検索条件選択欄１２４２、有効／無効状態欄１２４３、登録内容欄（登録抽出ワード／記号欄）１２４４及び登録（更新）日欄１２４５が設けられている。
【０２２１】
検索条件選択欄１２４２は、１行ずつ行方向（横方向）に表示された検索条件を選択するか否かを選択する欄である。入力部１１からの入力により、検索条件選択欄１２４２で、選択／非選択のいずれかを選ぶことができる。選択を選ぶと「〇」の表示がされる。「〇」の表示は、検索条件として選択する（選択された、あるいは設定する、設定された）、の意味である。
【０２２２】
有効／無効状態欄１２４３では、入力部１１からの入力により、登録内容欄（登録抽出ワード／記号欄）１２４４に表示されている登録内容（登録された、登録抽出対象ワード／記号）の登録を有効な状態にするか（検索条件として設定できる状態にするか）、無効な状態にするか（一旦登録したが、現在は検索条件として設定できない無効な状態にするか）を設定できる（有効／無効状態欄１２４３の中で、有効又は無効を設定できる）。そして、その状態（有効／無効）を表示する。
【０２２３】
登録内容欄（登録抽出ワード／記号欄）１２４４では、入力部１１からの入力により、検索対象（抽出対象）の「ワード／記号」を登録できる。登録されたワード／記号は、登録内容欄（登録抽出ワード／記号欄）１２４４に表示される。「（患者共通）」とは、「登録抽出ワード／記号」が特定の患者だけでなく、どの患者にも共通して検索対象（抽出対象）とすることができる、との意味である。
【０２２４】
登録（更新）日欄１２４５は、「登録抽出ワード／記号」を登録又は更新した日を示す。登録とは、「ワード／記号」を、ある「ワード／記号」を登録内容欄（登録抽出ワード／記号欄）１２４４に新たに載せることをいう。更新とは、登録したワード／記号を新しく改めることをいう。
【０２２５】
図２１の例では、左から、検索条件選択欄１２４２、有効／無効状態欄１２４３、登録内容欄（登録抽出ワード／記号欄）１２４４、登録（更新）日欄１２４５の順で欄が並んでいる。
一番上の行は、左から順に「〇」「有効」「初診」「２０１９．０１．２２（火）」と表示されている。ワード／記号「初診」が、２０１９年１月２２日（火）に登録又は更新されたこと、検索対象とできる「有効」な状態であること、検索対象（抽出対象）として選択したことを表示している。
二番目の行は、左から順に「（空欄）」「有効」「再診」「２０１９．０１．２２（火）」と表示されている。ワード／記号「再診」が、２０１９年１月２２日（火）に登録又は更新されたこと、検索対象とできる「有効」な状態であること、検索対象（抽出対象）として選択していないことを表示している。
【０２２６】
三番目の行は、左から順に「（空欄）」「無効」「糖尿病」「２０１８．１２．１３（木）」と表示されている。ワード／記号「糖尿病」が、２０１８年１２月１３日（木）に登録又は更新されたこと、しかし検索対象とできる「有効」な状態ではなく「無効」な状態であること、検索対象（抽出対象）として選択していないことを表示している。
登録内容欄（登録抽出ワード／記号欄）１２４４の「糖尿病」は、有効／無効状態欄１２４３の「状態」が「無効」であるから、検索条件選択欄１２４２で検索対象（抽出対象）として選択しようとしても選択できない。この場合、有効／無効状態欄１２４３をマウス１１２で選んで右クリックすることで、「有効」と「無効」とを変更できる。
【０２２７】
登録内容欄（登録抽出ワード／記号欄）１２４４に新しい抽出ワード／記号を登録したい場合は、登録内容欄（登録抽出ワード／記号欄）１２４４中の「（新しい抽出ワード／記号を登録）」欄（箇所）をマウス１１２で選択し、キーボード１１１、マウス１１２等から新たに登録したい「ワード」又は「記号」を入力して登録する。有効／無効状態欄１２４３は「有効」とする。登録（更新）日欄１２４５には登録日（更には日時）が自動的に記録される。検索条件選択欄１２４２で選択にすると、新たに登録した「ワード／記号」で検索できる。
【０２２８】
なお、登録内容欄（登録抽出ワード／記号欄）１２４４中の「（新しい抽出ワード／記号を登録）」欄の表示方法（配置方法）には、いくつかの方法がある。
【０２２９】
１つ目は、既に登録された「登録抽出ワード／記号」が複数ある場合に、その一番下に「（新しい抽出ワード／記号を登録）」欄を表示（配置）する方法である。このようにすると、新たに登録する場合、複数の「登録抽出ワード／記号」の最後の次の欄を選べばよいため、分かりやすい。
【０２３０】
２つ目は、既に登録された「登録抽出ワード／記号」が複数あり、全部を一度に表示できない場合であっても、表示画面をスクロール等しなくても、「（新しい抽出ワード／記号を登録）」欄が表示されている状態にする方法である。
【０２３１】
この方法にはいくつかのやり方がある。
例えば、既に登録された「登録抽出ワード／記号」が複数あり、全部を一度に表示できない場合、複数の「登録抽出ワード／記号」で画面下の「登録抽出ワード／記号」（スクロールしないで表示されているもの）に「（新しい抽出ワード／記号を登録）」欄を入れて表示（配置）する。「登録抽出ワード／記号」が２０あり、１０までしか一度に表示できない場合、１０番目に「（新しい抽出ワード／記号を登録）」欄を入れて、「登録抽出ワード／記号」の１０〜２０番目は、１１〜２１番目に配置する如き方法である。
このようにすると、登録済のワード／記号が先の方に表示されると同時に、「（新しい抽出ワード／記号を登録）」欄が表示されるため、これら両者を一度に見れるため便利である。
【０２３２】
あるいは、「（新しい抽出ワード／記号を登録）」欄は、登録内容欄（登録抽出ワード／記号欄）１２４４の最初（一番目）に配置するようにしてもよい。
このようにすると、「（新しい抽出ワード／記号を登録）」欄は常に三頭に表示されるため、「（新しい抽出ワード／記号を登録）」欄を探すのが容易である。
【０２３３】
なお、新たに登録（更新）しようとする「抽出ワード／記号」が既に登録されている場合、制御部１５が、「既に登録されており、新たな登録はできません」旨の警告をするのが好ましい。メッセージ表示、マーク表示、あるいは音声等による警告である。
【０２３４】
登録内容欄（登録抽出ワード／記号欄）１２４４に表示されている既に登録済の「ワード／記号」は更新することができる。
更新するには、登録内容欄（登録抽出ワード／記号欄）１２４４をマウス１１２で選んで右クリックすることで更新できる。
例えば、図２１の上から５行目の登録内容欄（登録抽出ワード／記号欄）１２４４の「頭痛」をマウス１１２で選んで右クリックすると、「編集／削除」の窓が表示され（図面省略）、登録済の「頭痛」を「編集」したり「削除」したりすることを選択できる。「編集」を選ぶと「頭痛」の編集が可能となる。「偏頭痛」と編集し、登録（更新）日欄１２４５をマウス１１２で選んで右クリックすると「登録（更新）する／しない」の窓が表示される（図面省略）。「登録（更新）する」を選択すると、「頭痛」は「偏頭痛」に更新される。
【０２３５】
［実施形態６］
実施形態６の電子カルテ検索装置等は、基本的には図１〜１９に示す実施形態１に係る電子カルテ検索装置１等と同様であるが、実施形態６に係る電子カルテ検索装置等は、実施形態１に係る電子カルテ検索装置１等で、図７（Ｂ）、図９（Ｂ）、図１１（Ｂ）、図１３（Ｂ）、図１５（Ｂ）、図１８等で図示して説明した検索カルテ表示行を、各検索カルテ毎、複数行（２又は３行）にした点で、実施形態１に係る電子カルテ検索装置１等と異なる。
【０２３６】
このようにすると、各検索カルテについて、より多くの内容を表示できる。
【０２３７】
以上、本発明を上記の実施形態に基づいて説明したが、本発明は上記の実施形態に限定されるものではない。その趣旨を逸脱しない範囲において種々の形態において実施することが可能である。
例えば、下記に示すような変形も可能である。
［変形例］
【０２３８】
（１）上記した実施形態１〜６においては、表示部Ｄ（１２、１３、１４）として液晶表示装置を用いたが、本発明はこれに限定されるものではない。例えば、液晶表示装置の代わりに有機ＥＬ表示装置を用いてもよい。このようにすると、視認性に優れる。
【０２３９】
（２）上記した実施形態１等では、入力部１１に、図３に示すキーボード１１１を使用した（図３参照）が、本発明はこれに限定されるものではない。例えば、キーボード１１１の代わりにタッチキーを用いてもよい。このようにすると、入力部１１の小型化が可能となる。
【０２４０】
（３）上記した実施形態５では、検索条件を設定する場合、検索項目が「抽出ワード／記号」において、図２１に示す検索条件設定画面１２１を表示させ検索条件を設定したが、本発明はこれに限定されるものではない。例えば、検索項目「ワード／記号」の代わりに、検索項目「病名」、「マーク」、「マーカー」あるいは「診療行為」において、図２１に示す検索条件設定画面１２１と同様の表示をさせて検索条件を設定してもよい。この場合、検索項目「病名」、「マーク」、「マーカー」及び「診療行為」において、登録内容欄１２４４は、それぞれ「登録抽出ワード／記号」の代わりに、「登録病名」「登録マーク」「登録マーカー」「登録診療行為」となる。
このようにすると、検索項目「病名」、「マーク」、「マーカー」あるいは「診療行為」においても、検索項目「抽出ワード／記号」と同様な操作での検索条件の設定が可能となる。
【符号の説明】
【０２４１】
１…電子カルテ検索装置、２…電子カルテシステム、１１…入力部、１２…検索用表示部、１３…一覧表示部、１４…電子カルテ表示部、１５…制御部、１６…ネットワーク（通信回線）、１７…電子カルテデータベース（電子カルテ記憶装置）、１８…印刷装置、１１１…キーボード、１１２…マウス、１２１…検索条件設定画面、１３１…一覧表示画面、１４１…電子カルテ表示画面、１５１…ＣＰＵ、１５２…ＲＯＭ、１５３…ＲＡＭ、１５４…内部バス、１５５…インターフェース、１５６…検索条件設定手段、１５７…表示制御手段、１７１…電子カルテ、１２２１…検索要否欄、１２２２…検索項目欄、１２２３…検索（・表示）内容欄、１２２４…プルダウンメニュー、１２３０…ツールチップを使用した小さな窓、１２４１…検索項目設定欄、１２４２…検索条件選択欄、１２４３…有効／無効状態欄、１２４４…登録内容欄（登録抽出ワード／記号欄）、１２４５…登録（更新）日欄、Ｄ…表示部
【図１】
2020191053.tif 000003
【図２】
2020191053.tif 000004
【図３】
2020191053.tif 000005
【図４】
2020191053.tif 000006
【図５】
2020191053.tif 000007
【図６】
2020191053.tif 000008
【図７】
2020191053.tif 000009
【図８】
2020191053.tif 000010
【図９】
2020191053.tif 000011
【図１０】
2020191053.tif 000012
【図１１】
2020191053.tif 000013
【図１２】
2020191053.tif 000014
【図１３】
2020191053.tif 000015
【図１４】
2020191053.tif 000016
【図１５】
2020191053.tif 000017
【図１６】
2020191053.tif 000018
【図１７】
2020191053.tif 000019
【図１８】
2020191053.tif 000020
【図１９】
2020191053.tif 000021
【図２０】
2020191053.tif 000022
【図２１】
2020191053.tif 000023
【図２２】
2020191053.tif 000024